(57)【要約】【課題】所定間隔で配置された複数の照明器具を、ラジエーションによって個々に選択的に遠隔操作する。【解決手段】間隔を置いて天井に配置された複数の照明器具１００または他の制御可能な電気器具は、各器具内に取付けられ且つ器具内で調光回路９０または安定器に結線される広角のラジエーション検出器２２，８２を有する。ラジエーション検出器は、広い角度範囲の検出域を有し、且つ器具内の小さな開口８０に固定されている。細いビームのラジエーション発信器が、一つのラジエーション検出器を選択的に、他の検出器を照射することなく照射する。器具内の調光回路または安定器はさらに、外部の調光器、オキュパンシィセンサ、タイムクロック、フォトセンサ、およびその他のタイプの入力装置によって制御される。【選択図】図６
2006100279.tif 000002
【特許請求の範囲】
【請求項１】
天井に設置するようにされた照明器具のハウジングと、
照明器具のハウジングの内部空間内に固定される調光安定器と、
照明器具のハウジングに設けられ、かつ、上記安定器に接続される少なくとも１つの電灯と、
照明器具のハウジング内に固定され、かつ、ラジエーションセンサを有し、かつ、照明器具のハウジングの内部に設けられた調光安定器に直接接続され、かつ、調光器制御回路をその中に含み、かつ、ラジエーションセンサがコード化されたラジエーション信号を受信に応じて少なくとも１つの電灯に対して出力する調光安定器の出力を調節するように作動するラジエーション受信器回路と、
ラジエーションセンサに通じた状態で照明器具のハウジングに形成される開口と、
ラジエーション受信器の出力を調整することによって上記少なくとも１つの電灯の調光を調節するように、照明器具のハウジングの下の位置からラジエーションセンサに向けてラジエーションを送るための手動操作タイプのポータブル型ラジエーション発信器とを備えた調光システム。
【請求項２】
上記照明器具のハウジングが配線路用カバーを備え、上記開口が該配線路用カバーに形成され、上記ラジエーション受信器が配線路用カバーの内面に固定される請求項１記載のシステム。
【請求項３】
上記ラジエーション受信器に固定され、かつ、上記開口内に配置され、かつ、コード化された入力ラジエーションを広角で受信すべく機能できるラジエーションレンズをさらに備えた請求項１記載のシステム。
【請求項４】
上記ラジエーション受信器に固定され、かつ、上記開口内に配置され、かつ、コード化された入力ラジエーションを広角で受信すべく機能できるラジエーションレンズをさらに備えた請求項２記載のシステム。
【請求項５】
上記発信器は、少なくとも１つの電灯の調光条件を変更するために選択されたコードを含む細いビームの赤外線ラジエーションを発信するように作動する請求項１記載のシステム。
【請求項６】
上記発信器は、少なくとも１つの電灯の調光条件を変更するための選択されたコードを含む細いビームの赤外線ラジエーションを発信するように作動する請求項２記載のシステム。
【請求項７】
上記発信器は、少なくとも１つの電灯の調光条件を変更するための選択されたコードを含む細いビームの赤外線ラジエーションを発信するように作動する請求項３記載のシステム。
【請求項８】
上記発信器は、少なくとも１つの電灯の調光条件を変更するための選択されたコードを含む細いビームの赤外線ラジエーションを発信するように作動する請求項４記載のシステム。
【請求項９】
上記細いビームは８°である請求項５記載のシステム。
【請求項１０】
上記細いビームは８°である請求項８記載のシステム。
【請求項１１】
上記ラジエーション受信器回路は、樹脂ヨークカバーが固定された壁ボックス型絶縁ハウジングを有し、該ヨークカバーは、上記ラジエーションセンサを横切って配置されるとともに、ラジエーションセンサと一致するように位置決めされた開口を有し、上記調光器回路は、ラジエーションセンサとともに１つの回路基板に実装され、該回路基板は、壁ボックス型ハウジングの内部を横切って支持されるとともに、ヨークカバーにほぼ平行である請求項１記載のシステム。
【請求項１２】
上記照明器具ハウジングは配線路用カバーを有し、該配線路用カバーには第２開口が形成され、上記ラジエーション受信器回路は上記配線路用カバーの内面に固定され、上記第２開口は上記ヨークの開口に通じる請求項１１記載のシステム。
【請求項１３】
上記発信器は、上記少なくとも１つの電灯の調光条件を変更するための選択されたコードを含む細いビームの赤外線ラジエーションを発信するように作動する請求項１１記載のシステム。
【請求項１４】
上記ラジエーション受信器回路および照明器具ハウジングの内面が、該受信器回路を該照明器具ハウジングに固定するために、互いに接着するように協働するベルクロストリップを有する請求項１２記載のシステム。
【請求項１５】
上記ヨークカバーの上記開口内に固定され、かつ、コード化された入力ラジエーションを広角で受信すべく機能できるラジエーション導体をさらに備えた請求項１４記載のシステム。
【請求項１６】
上記発信器は、上記少なくとも１つの電灯の調光条件を変更するための選択されたコードを含む細いビームの赤外線ラジエーションを発信するように作動する請求項１５記載のシステム。
【請求項１７】
調光器制御回路が設置されており、かつ、天井に設置するようにされた照明器具のハウジングと、
照明器具のハウジングに設けられ、かつ、上記調光器制御回路に接続される少なくとも１つの電灯と、
照明器具のハウジング内に固定され、かつ、ラジエーションセンサを有し、かつ、上記調光器制御回路に直接接続され、かつ、コード化されたラジエーション信号を上記ラジエーションセンサが受信するのに応じて、上記少なくとも１つの電灯の出力を調節するように作動するラジエーション受信器回路と、
ラジエーションセンサに通じた状態で照明器具のハウジングに形成される開口と、
ラジエーション受信器および調光器制御回路の出力を調整することによって上記少なくとも１つの電灯の調光を調節するように、照明器具のハウジングの下の位置からラジエーションセンサに向けてラジエーションを送るための手動操作タイプのポータブル型ラジエーション発信器とを備えた調光システム。
【請求項１８】
上記ラジエーション受信器に固定され、かつ、上記開口内に配置され、かつ、コード化された入力ラジエーションを広角で受信すべく機能できるラジエーションレンズをさらに備えた請求項１７記載のシステム。
【請求項１９】
上記発信器は、少なくとも１つの電灯の調光条件を変更するために選択されたコードを含む細いビームの赤外線ラジエーションを発信するように作動する請求項１７記載のシステム。
【請求項２０】
上記細いビームは８度である請求項１９記載のシステム。
【請求項２１】
上記ラジエーション受信器は、上記ラジエーションセンサを横切って配置された樹脂ヨークカバー付き壁ボックス型絶縁ハウジングを有し、上記調光器制御回路は、ラジエーションセンサとともに１つの回路基板に実装され、上記ヨークカバーは、ラジエーションセンサと一致するように位置決めされた開口を有し、上記回路基板は、上記ヨークカバーに支持されるとともにヨークカバーにほぼ平行である請求項１７記載のシステム。
【請求項２２】
上記ラジエーション受信器回路および照明器具の内面が、該受信器回路を該照明器具ハウジングに固定するために、互いに接着するように協働するベルクロストリップを有する請求項２１記載のシステム。
【請求項２３】
複数の上記照明器具ハウジングと、調光安定器と、電灯と、ラジエーション受信器とをさらに備え、該照明器具ハウジングのそれぞれが、天井面で全ての方向に少なくとも２フィート互いに離れている請求項１記載のシステム。
【請求項２４】
複数の上記照明器具ハウジングと、調光安定器と、電灯と、ラジエーション受信器とをさらに備え、該照明器具ハウジングのそれぞれが、天井面で全ての方向に少なくとも２フィート互いに離れている請求項２記載のシステム。
【請求項２５】
複数の上記照明器具ハウジングと、調光安定器と、電灯と、ラジエーション受信器とをさらに備え、該照明器具ハウジングのそれぞれが、天井面で全ての方向に少なくとも２フィート互いに離れている請求項３記載のシステム。
【請求項２６】
複数の上記照明器具ハウジングと、調光安定器と、電灯と、ラジエーション受信器とをさらに備え、該照明器具ハウジングのそれぞれが、天井面で全ての方向に少なくとも２フィート互いに離れており、上記発信器ビームが、上記センサの上記開口どうしの間でそれぞれを区別できるのに十分なように小さくされている請求項５記載のシステム。
【請求項２７】
上記細いビームは８度である請求項２６記載のシステム。
【請求項２８】
頭上に間隔を置いて設置された複数の蛍光灯照明器具の改装方法であって、
上記照明器具の各配線路用カバーを取り外して、その中の安定器を露出させるステップと、
上記各照明器具の安定器を、それぞれ調光安定器に取り替えるステップと、
上記配線路用カバーのそれぞれに小孔を形成するステップと、
広角ラジエーション受信レンズを有するラジエーション受信器ハウジングを、上記照明器具内に、かつ、上記配線路用カバー上に、該小孔に位置合わせして取り付けるステップと、
上記エーション受信器ハウジングの出力線を上記調光安定器の線に接続するステップであって、該接続された線が照明器具の中に収容された状態にこれら線を接続するステップと、
上記配線路用カバーを、上記調光安定器、上記ラジエーション受信器および上記出力線を収納するように、元に戻すステップとを備えた照明器具の改装方法。
【請求項２９】
調光器制御回路が設置されており、かつ、天井に設置するようにされた照明器具のハウジングと、
照明器具のハウジングに設けられ、かつ、上記調光器制御回路に接続される少なくとも１つの電灯と、
照明器具のハウジング内に固定され、かつ、ラジエーションセンサを有し、かつ、上記調光器制御回路に接続され、かつ、コード化されたラジエーション信号を上記ラジエーションセンサが受信するのに応じて、上記少なくとも１つの電灯の出力を調節するように作動するラジエーション受信器回路と、
ラジエーションセンサに通じた状態で照明器具のハウジングに形成される開口と、
ラジエーション受信器および調光器制御回路の出力を調整することによって上記少なくとも１つの電灯の調光を調節するように、照明器具のハウジングの下の位置からラジエーションセンサに向けてラジエーションを送るための手動操作タイプのポータブル型ラジエーション発信器と、
上記照明器具ハウジングから離れて取り付けられ、かつ、上記調光器制御回路に接続され、かつ、該調光器制御回路の出力を変更すべく作動する外部スイッチ手段であって、上記ラジエーション発信器の操作を無視して操作できる外部スイッチ手段とを備えた調光システム。
【請求項３０】
上記外部スイッチ手段は、手動のオン／オフスイッチである請求項２９記載の調光システム。
【請求項３１】
上記外部スイッチ手段は、タイムクロックである請求項２９記載の調光システム。
【請求項３２】
上記外部スイッチ手段は、オキュパンシィセンサである請求項２９記載の調光システム。
【請求項３３】
上記外部スイッチ手段は、中央リレーシステムの少なくとも一部を含んでいる請求項２９記載の調光システム。
【請求項３４】
上記外部スイッチ手段は、オン／オフスイッチ、オキュパンシィセンサ、タイムクロックおよび中央リレーシステムからなる１群から選択される少なくとも１つの装置である請求項２９記載の調光システム。
【請求項３５】
上記照明器具ハウジングは、配線路用カバーと、該配線路用カバーに形成された上記開口と、該配線路用カバーの内面に固定された上記ラジエーション受信器とを有する請求項２９記載の調光システム。
【請求項３６】
上記ラジエーション受信器に固定され、かつ、上記開口内に配置され、かつ、コード化された入力ラジエーションを広角で受信すべく機能できるラジエーションレンズをさらに備えた請求項３５記載の調光システム。
【請求項３７】
上記発信器は、少なくとも１つの電灯の調光条件を変更するために選択されたコードを含む細いビームの赤外線ラジエーションを発信するように作動する請求項２９記載の調光システム。
【請求項３８】
上記ラジエーション受信器回路は、樹脂ヨークカバーが固定された壁ボックス型絶縁ハウジングを有し、該ヨークカバーは、上記ラジエーションセンサを横切って配置されるとともに、ラジエーションセンサと一致するように位置決めされた開口を有し、上記調光器回路は、ラジエーションセンサとともに１つの回路基板に実装され、該回路基板は、ヨークカバーに支持されるとともに、ヨークカバーにほぼ平行である請求項２９記載の調光システム。
【請求項３９】
調光器制御回路が設置されており、かつ、天井に設置するようにされた照明器具のハウジングと、
照明器具のハウジングに設けられ、かつ、上記調光器制御回路に接続される少なくとも１つの電灯と、
照明器具のハウジング内に固定され、かつ、ラジエーションセンサを有し、かつ、上記調光器制御回路に接続され、かつ、コード化されたラジエーション信号を上記ラジエーションセンサが受信するのに応じて、上記少なくとも１つの電灯の出力を調節するように作動するラジエーション受信器回路と、
ラジエーションセンサに通じた状態で照明器具のハウジングに形成される開口と、
ラジエーション受信器および調光器制御回路の出力を調整することによって上記少なくとも１つの電灯の調光を調節するように、照明器具のハウジングの下の位置からラジエーションセンサに向けてラジエーションを送るための手動操作タイプのポータブル型ラジエーション発信器と、
上記照明器具ハウジングから離れて取り付けられ、かつ、上記調光器制御回路に接続され、かつ、上記少なくとも１つの電灯の調光を調整するように操作できる外部調光手段とを備えた調光システム。
【請求項４０】
上記外部調光手段は、上記少なくとも１つの電灯の照度を最低に設定すべく操作できる請求項３９記載の調光システム。
【請求項４１】
上記外部調光手段は、上記少なくとも１つの電灯の照度を最高に設定すべく操作できる請求項３９記載の調光システム。
【請求項４２】
上記調光器制御回路は、上記ラジエーション発信器から独立して上記少なくとも１つの電灯の調光を調整するように操作できる請求項３９記載の調光システム。
【請求項４３】
上記外部調光手段から上記調光器制御回路への出力信号は、位相制御された信号である請求項３９記載の調光システム。
【請求項４４】
上記外部調光手段から上記調光器制御回路への出力信号は、可変電圧信号である請求項３９記載の調光システム。
【請求項４５】
上記外部調光手段から上記調光器制御回路への出力信号は、上昇／下降信号である請求項３９記載の調光システム。
【請求項４６】
上記照明器具ハウジングから離れて取り付けられ、かつ、上記調光器制御回路に接続され、かつ、該調光器制御回路の出力を変更すべく作動する外部スイッチ手段であって、上記ラジエーション発信器の操作を無視して操作できる外部スイッチ手段をさらに備えた請求項３９記載の調光システム。
【請求項４７】
上記外部スイッチは、オン／オフスイッチである請求項４６記載の調光システム。
【請求項４８】
上記外部スイッチは、オキュパンシィセンサである請求項４６記載の調光システム。
【請求項４９】
上記外部スイッチは、中央リレーステーションである請求項４６記載の調光システム。
【請求項５０】
上記外部調光手段は、手動入力を有する請求項３９記載の調光システム。
【請求項５１】
上記外部調光手段は、フォトセンサ入力を有する請求項３９記載の調光システム。
【請求項５２】
上記外部調光手段は、オキュパンシィセンサ入力を有する請求項３９記載の調光システム。
【請求項５３】
上記外部調光手段は、タイムクロック入力を有する請求項３９記載の調光システム。
【請求項５４】
天井に設置するようにされた照明器具のハウジングと、
照明器具のハウジングの内部空間内に固定される調光安定器と、
照明器具のハウジングに設けられ、かつ、上記安定器に接続される少なくとも１つの電灯と、
照明器具のハウジング内に固定され、かつ、ラジエーションセンサを有し、かつ、照明器具のハウジングの内部に設けられた調光安定器に直接接続され、かつ、調光器制御回路をその中に含み、かつ、ラジエーションセンサがコード化されたラジエーション信号を受信に応じて少なくとも１つの電灯に対して出力する調光安定器の出力を調節するように作動するラジエーション受信器回路と、
ラジエーションセンサに通じた状態で照明器具のハウジングに形成される開口と、
ラジエーション受信器の出力を調整することによって上記少なくとも１つの電灯の調光を調節するように、照明器具のハウジングの下の位置からラジエーションセンサに向けてラジエーションを送るための手動操作タイプのポータブル型ラジエーション発信器とを備え、
上記照明器具ハウジングは、配線路用カバーと、該配線路用カバーに形成された上記開口と、該配線路用カバーの内面に固定された上記ラジエーション受信器と、上記ラジエーションセンサによって上記電灯から直接受けられるラジエーションを最小にすべく配置された開口とを有する調光システム。
【請求項５５】
上記発信器は、少なくとも１つの電灯の調光条件を変更するために選択されたコードを含む細いビームの赤外線ラジエーションを発信するように作動する請求項５４記載のシステム。
【請求項５６】
上記細いビームは８度である請求項５５記載のシステム。
【請求項５７】
上記ラジエーション受信器回路は、樹脂ヨークカバーが固定された壁ボックス型絶縁ハウジングを有し、該ヨークカバーは、上記ラジエーションセンサを横切って配置されるとともに、ラジエーションセンサと一致するように位置決めされた開口を有し、上記調光器回路は、ラジエーションセンサとともに１つの回路基板に実装され、該回路基板は、ヨークカバーに支持されるとともに、ヨークカバーにほぼ平行である請求項５４記載のシステム。
【請求項５８】
レンズが上記ヨークカバーの上記開口内に取り付けられる請求項５７記載のシステム。
【請求項５９】
約８フィートの高さを有する部屋の天井に取り付けられた少なくとも第１および第２の照明器具を備え、
各上記照明器具が調光器回路およびラジエーションセンサをそれぞれ有し、これによって、第１および第２の各照明器具の出力光が、赤外線ラジエーションによる上記ラジエーションセンサの照射により調整され、
上記第１および第２の照明器具が、２フィートよりも大きく間隔を置いて配置され、
約８°のビーム角で赤外線ビームの出力を有するポータブル型ラジエーション発信器を備え、
上記ラジエーションセンサのそれぞれが、約３０°よりも大きい受信角を有し、これによって、第１および第２の照明器具のいずれか一方のラジエーションセンサが、上記ラジエーション発信器のビームによって、他方が照射されずに、照射される調光システム。
【請求項６０】
上記ラジエーションセンサのそれぞれは、３０°と６０°との間の受信角度を有する着脱可能な広角受信レンズを備えた請求項５９記載の調光システム。
【請求項６１】
制御可能な複数の装置のうちの一つだけを選択的に制御するための制御システムであって、
間隔を置いた位置関係で複数の制御可能な装置の一つ一つを収納するための、かつ、取り付けるための各ハウジングと、
上記ハウジングのそれぞれの中に固定され、かつ、それぞれにラジエーションセンサを有する各ラジエーション受信器回路と、
上記ラジエーションセンサのそれぞれに通じた状態で上記ハウジングのそれぞれに形成された開口と、
それぞれ自身の制御可能な装置に直接接続され、かつ、コード化されたラジエーション信号を上記ラジエーションセンサが受信するのに応じて、上記制御可能な装置の運転を調節するように作動可能な各ラジエーション受信器回路と、
一つの上記制御可能な装置の運転を他の制御可能な装置から独立して調節するために、選択的に上記ラジエーションセンサの一つに向けてラジエーションを発信するための、手動操作タイプのポータブル型ラジエーション発信器とを備えた制御システム。
【請求項６２】
上記ハウジングは、間隔を置いた位置関係で部屋の天井に取り付けられた照明器具であり、上記制御可能な装置は調光コントロールであり、該調光コントロールは、それらの照明器具の出力光を制御する請求項６１記載のシステム。
【請求項６３】
上記ラジエーション受信器のそれぞれに固定され、かつ、上記開口内にそれぞれ配置され、かつ、入力ラジエーションを広角で受信すべく機能できるラジエーションレンズをさらに備えた請求項６１記載のシステム。
【請求項６４】
上記ラジエーション受信器のそれぞれに固定され、かつ、上記開口内にそれぞれ配置され、かつ、入力ラジエーションを広角で受信すべく機能できるラジエーションレンズをさらに備えた請求項６２記載のシステム。
【請求項６５】
上記発信器は、上記照明器具の任意の一つの調光状態を他の器具に対して変更するための選択可能なコードを有する赤外線ラジエーションの細いビームを発信すべく操作可能である請求項６４記載のシステム。
【請求項６６】
上記細いビームは８度である請求項６５記載のシステム。
【請求項６７】
上記ラジエーション受信器回路は、樹脂ヨークカバーが上記ラジエーションセンサを横切って配置された壁ボックス型絶縁ハウジングを有し、上記調光器制御回路は、ラジエーションセンサとともに一つの回路基板に実装され、上記ヨークカバーは、ラジエーションセンサと一致するように位置決めされた開口を有し、上記回路基板は、壁ボックス型ハウジングの内部を横切って支持されるとともに、ヨークカバーにほぼ平行である請求項６１記載のシステム。
【請求項６８】
上記ラジエーション受信器回路のそれぞれと上記ハウジングのそれぞれの内部とが、該受信器回路を、それらの該ハウジングにそれぞれ固定するために、互いに接着するように協働するベルクロストリップを有する
請求項６７記載のシステム。
【請求項６９】
上記制御可能な装置はモータである請求項６１記載のシステム。
【請求項７０】
上記制御可能な装置はソレノイドである請求項６１記載のシステム。
【請求項７１】
最後に操作された上記調光器制御回路または上記ラジエーション発信器が、上記少なくとも１つの電灯の調光レベルを決定する請求項３９記載の調光システム。
【請求項７２】
上記ラジエーションセンサは、どのタイプの照明器具内にも取付可能である請求項５９記載の調光システム。
【請求項７３】
調光器制御回路が設置されており、かつ、天井に設置するようにされた照明器具のハウジングと、
照明器具のハウジングに設けられ、かつ、上記調光器制御回路に接続される少なくとも１つの電灯と、
照明器具のハウジング内に固定され、かつ、ラジエーションセンサを有し、かつ、上記調光器制御回路に直接接続され、かつ、コード化されたラジエーション信号を上記ラジエーションセンサが受信するのに応じて、上記少なくとも１つの電灯の出力を調節するように作動するラジエーション受信器回路と、
ラジエーションセンサに通じた状態で照明器具のハウジングに形成される開口と、
ラジエーション受信器および調光器制御回路の出力を調整することによって上記少なくとも１つの電灯の調光を調節するように、照明器具のハウジングの下の位置からラジエーションセンサに向けてコード化されたラジエーションを送るための手動操作タイプのポータブル型ラジエーション発信器とを備え、
上記ラジエーション発信器は、上記調光器制御回路の下限調整値を調節するように、コード化されたラジエーションを交互に発信する調光システム。
【発明の詳細な説明】
【技術分野】
【０００１】
本発明は、照明器具用リモートコントロールに関し、詳しくは、頭上に設けた複数個の照明器具を手持ち型赤外線発信装置で選択的に制御するシステムに関する。
【背景技術】
【０００２】
互いに間隔を置いて設けた複数個の放電灯(たとえば、蛍光灯)、または白熱灯により空間を照明することはよく知られている。一般に、１つの照明器具の中には、１つまたはそれ以上の蛍光灯が安定器と共に設けられている。そして、それらの照明器具は天井の４つのフットセンタまたは８つのフットセンタに互いに間隔をあけて設けている。これと同様に複数個の頭上型白熱灯照明器具は、約２フィートよりも大きい間隔をもって設けた各センタに設けられる。上記従来の複数個の照明器具は、通常、１つの電源に接続されていて、同時的にスイッチを切ったり入れたりされるようになっている。これらの器具に調光機能が備わっている場合には、同時的に調光される。
【０００３】
このような頭上設置型照明器具を個別的に制御するかまたは調光することも知られている。たとえば、オフィス空間において、１人の作業者と他の作業者が所定距離離れた仕事場にいるとき、１人の作業者が、他の作業者が望むあるいは必要とする光量より多い光量または少ない光量を望むかあるいは必要とすることがある。いくつかの照明器具の電灯を選択的に調光して、個々の作業者の要求に合わすことができる調光システムが知られている。たとえば、各照明器具を、それと離れたところに設置される調光器に対して個別的にケーブルで接続することができる。しかしながら、ケーブルの設置はかなりの費用を要することになると共に、システムの使用者が、どの調光器がどの照明器具を制御するのか直ちに判断することは容易ではない。
【０００４】
変形例として、調光器は各照明器具の中に組み込むこともできる。そして、この調光器は、低電圧ケーブルにより送られる信号で制御されるか、または、パワーラインキャリアシステムを通るのライン電圧ケーブルで送られる信号によって制御される。しかし残念ながら、これら２つの従来装置は、受信した調光器制御用の信号を変換するとともに／または解読するために、各照明器具内に高価なインターフェース装置を必要とする。
【０００５】
他の公知システムによれば、調光調製コントロールを備えた調光器が各照明器具に備えられ、そのコントロールは、たとえば器具に届くに十分長い寸法を有する剛性ポールを介して上記コントロールを回転することにより、手動で操作される。この場合には、各照明器具は選択的に調節することができる。しかしながら、このシステムは使用するに不便さがあり、一旦照明器具の照度が設定されれば、これを再調節することは困難または不便である。さらに、この特質を有するコントロールシステムを既設の設備に改装して組み込むことは困難である。
【０００６】
公知の蛍光コントローラシステムが、「セクター蛍光コントローラ」という名前でカリフォルニア州バーバンクに住所を有するコロートラン・インコーポレイテッド(Ｃolortran  Ｉnc．)により販売されている。この「セクター蛍光コントローラ」によれば、赤外線受信器が、各蛍光灯器具から離れた位置に設けられている。したがって、この受信器はＴ字型バーに固定されるか、壁面に固定されるか、ルーバーに固定されるか、あるいは天井や壁面と同一面をなすサラ穴に埋め込まれる。したがって、従来の調光安定器に加えて、照明器具内には安定器コントローラが設けられる。そして、照明器具の内部に設けた安定器コントローラと外部の赤外線受信器とをケーブルで接続する。１つまたはそれ以上の照明器具のところにある赤外線受信器に向けて手持ち型リモートコントロール赤外線発信器から照射することにより調光レベルを制御するようになっている。
【０００７】
外部センサーから配線をすることになれば、装置の設置が複雑になる。また、そのセンサーは照明器具から離れているので、別個の設置作業が必要となるとともに、外部に露見することになる。さらに、カラートラン社の赤外線発信器は３０度の発射角度を有している。したがって、数個の受信器が同時的に照射されることになり、したがって、使用者が部屋の中において、制御されるべき照明器具の下方の正確な位置にいなければ、ただ１つの照明器具を選択的に制御することは困難である。
【０００８】
上記システムと類似するシステムがシルバータウン・ハイテック・コーポレイション(Ｓilvertown  Ｈitech  Ｃorporation)から発売されている。このシステムにおいては、赤外線受信器が蛍光照明器具のルーバーに設けられている。このシステムにおいては、赤外線受信器は特定の蛍光灯照明器具にだけ適合するようになっている。
【０００９】
さらなるシステムはマツシタ(Ｍａｔｓｕｓｈｉｔａ)より販売されている。このシステムにおいては１つの発信器で２またはそれ以上の受信器を個別的に制御できるようになっている。これは、制御しようとする照明器具に対応した受信器に予め設定しておいたスイッチセッティングに、発信器のスイッチを一致するように調節することにより達成できる。たとえば、スイッチを第１位置に設定することにより照明器具Ａを制御することができ、またスイッチを第２位置に設定することにより照明器具Ｂを制御することができる。このシステムにおいては、使用者は、どの照明器具がどのスイッチ位置に対応しているのか、すなわち照明装置Ａが第１位置に対応しまた照明器具Ｂが第２位置に対応する、ということを記憶しておかなければならない。
【００１０】
使用者は忘れやすいので混同を生ずる。特に、３つあるいは４つの照明器具を３つまたは４つのスイッチ位置によって制御するような場合には混乱を生じ、これは決して好ましいことではない。さらに、設けることのできるスイッチ位置の個数には、実際上、制限がある。一方、大部屋においては照明器具の個数はこの制限個数を越えることがある。さらに加うるに、たとえば２０個の照明器具のように照明器具の個数が多くなった場合の受信器のプログラミングおよびリプログラミングをする作業は膨大なものとなる。
【００１１】
上記発明に係るシステムについては後に詳述するが、このシステムと比較すれば、発信器は、制御しようとする照明器具内の受信器に発信器を単純に向けるだけである。これは簡単であり、明確であるとともに人間工学に適合していることは明白である。さらに、受信器のプログラミングまたはリプログラミングを必要としない。
【００１２】
また、壁ボックスを設けた調光器を制御するための赤外線発信器を使用することも知られている。このような赤外線発信器は、本出願の譲渡人であるルトロンエレクトロニクス・カンパニー・インコーポレイテッド(Ｌutron  Ｅlectronics  Ｃo．,  Ｉnc．)により販売されている「グラフィックアイ」(Ｇrafik  Ｅyｅ)という商品名で販売されているプリセット調光コントロールである。また、同様の発信器について米国特許５,１９１,２６５号明細書にも述べられている。上記「グラフィックアイ」調光コントロールシステムによれば、壁ボックスに設けた制御回路により照明器具および他の電灯を遠隔制御するようになっている。壁ボックスのハウジングに向けられる赤外線発信器は、１つのビームを発生する。このビームは、スイッチを入れたり切ったりするための情報と、各照明器具の調光レベルを複数のプリセットレベルの１つに制御すべくセットする情報と、あるいは光の強さを連続的に増減するための情報を含んでいる。上記ルトロン・エレクトロニクス・カンパニー・インコーポレイテッドは他にも類似のシステムを商品名「ラナックス−ワイヤレス・ディミングコントロールシステム(ＲanaX−Ｗireless  Ｄimming  Ｃontrol  Ｓystem)」で販売している。これらのシステムでは、部屋内の個々の天井設置型照明器具を、近くに設けられた他の照明器具から独立的に制御することは意図していない(これらの照明器具は約２フィート相互に離れている)。
【発明の開示】
【課題を解決するための手段】
【００１３】
本発明によれは、制御される各照明器具は、ラジエーション受信器と、器具ハウジング内に取り付けられた安定器制御回路とを有しており、蛍光灯器具の場合には、器具ハウジング内で調光安定器に結線される。白熱灯器具の場合、制御される各照明はラジエーション受信器と調光器とを有しており、この調光器は制御される電燈に接続される。器具ハウジングに形成された小孔は、ラジエーション受信器に対する光学通信を許容し、照明器具が設けられている部屋のどの位置からでも実質的に容易に照射を受けることができる。制御されるべき照明器具から約２フィート以上離れている他の照明器具を照射しないように、このラジエーション受信開口を照射するために、狭い角度の範囲、例えば８°でビーム角を有するビームラジエーション発信器が用いられる。約３０フィート四方で高さ約１０フィートの空間の部屋では、他の器具から２フィート離れた器具が容易に区別できる。さらに大きな空間では、使用者は、近接した器具どうしを区別するためには自分の位置を変えればよい。
【００１４】
受信器は、一般的な後部箱の中央部を横切るように取り付けられるプリント回路基板よりなる新規な構造のものである。ラジエーションセンサは、このプリント回路基板上に取り付けられ、ヨークに覆われている上記箱の開口されている側に面している。ラジエーションには、好ましくは赤外線が用いられ、ヨークは、赤外線がラジエーションセンサに達するのを許容するように、光学的に透過性の部分を有している。狭い範囲で焦点が合わされる高周波の超音波もまた用いることができる。
【００１５】
さらには、コード化された情報を既知の方法で帯びた可視光レーザービームまたは不可視光レーザービームも用いることができる。その場合、レーザービームは、発散レンズのような光学手段によって広げられる。可視光ビームの場合には、発信器が受信器を指し示すのを助ける懐中電灯のようなビームを生じる。
【００１６】
最後に、狭い範囲で焦点が合わされる無線周波を用いることもできる。これらの無線周波は、約４.３ｃｍの直径を有するパラボラ反射板付き発信器のパラボラ反射板から発信され、６０GHzの周波数で約８°の角度でビームが広げられる。（５０GHz＝０.６ｃｍ波長λ）直径ｄのパラボラから発信されたビームの角度θ（弧度法）は、θ＝λ／ｄで与えられる。
【００１７】
受信器の構造を導入するために新規な取付構造が提供され、その取付構造では、プラスチックのフック・ループ型の面ファスナが器具の内部に取り付けられる。好ましくは、器具内の配線路用カバーに取り付けられる。全ての配線は、器具の配線路内で相互に接続することができる。器具の配線路用カバーには開口が形成され、受信器ハウジング内のラジエーション受信器によって光学的に通信が行われる。受信器ハウジングは、配線路用カバーの開口で通信するためのハウジング内に容易に配置でき、そこに押し付けられる。光学レンズは、ラジエーション受信器の感知手段に入力ラジエーションを合焦させるのを助けるように、ヨーク内に挿入して取り付けることができる。このレンズの挿入は、異なった角度で入ってくる入力ラジエーション用に設計されたレンズの挿入に変えることができる。入力ラジエーションの入射角度は、ヨークからラジエーションセンサまでの距離を変えることによっても、調整することができる。
【００１８】
レンズは、発信器からの赤外線ラジエーションを受信するように、器具ハウジング内の開口を通って僅かに突出している。発信器は、壁付けの箱の調光器システムの使用で前述したルトロンのグラフィクアイシステムの発信器で採用されたタイプの赤外線発信器が好ましい。このグラフィクアイ発信器は、１２の異なったコードの組合せで信号を発信する赤外線発信器である。発信器は、約８°の角度でビームを発信することができ、したがって、比較的接近して配置された天井付け照明器具を選択的に照射することができる。作動状態にされたコントロールによっては、選択された照明器具が、複数にプリセットされた調光状態の一つに調光され、あるいは連続的に上昇または下降するように調光される。このように発信器は、上昇／下降、プリセット、上限／下限の調整値およびその類いの調整を行うことができる。変形例として、可動スライドまたは回転アクチュエータを有する発信器が、連続的な調光制御を行うために用いられてもよい。
【００１９】
本発明は、既存のものに導入する改装において大きな利点を有している。そして、配線路用カバーに小孔を開口し、赤外線受信器／安定器コントローラを、配線路用カバー内でその小孔と一直線上にくるような位置で、配線路用カバーに取り付けるだけでよい。照度調光安定器は、照明器具の配線路内に取り付けられ、外部配線を必要とせずに照明器具の配線路内で受信器／安定器コントローラと相互接続される。受信器／安定器コントローラが取り付けられた配線路用カバーは、照明器具内に再び設置される。
【００２０】
本発明は、多種多様の既存照明器具に用いることができ、外部のスイッチおよび調光回路と共に用いることもできる。フォトセル、オキュパンシィセンサ、タイムクロック、中央リレーパネルおよび他の入力もまた、この新規なシステムと共に用いることができる。さらに、本発明は、単一の受信器が、如何なる所望の数の安定器も操作できるようにすることができる。
【００２１】
この発明の主な適用は、頭上の蛍光灯器具によって照明されるオフィス領域の大きな空間計画にあり、特に、その空間においては、ビデオ表示ユニット（例えばパーソナルコンピュータ）が用いられる。しかし、本発明はまた、病院や老人保護施設、製造現場や制御室におけるオーディオ・ビジュアルの上演に利用される場所における適用もある。
【００２２】
本発明は、室内または室外の保安照明の制御に用いることができ、また、省エネルギのために照明レベルを低くするのにも利用できる。
【００２３】
本発明のさらに別の適用としては、感電の危険があるために通常の壁付けの制御が行えない濡れている場所または湿気のある場所において、あるいは、線間電圧の壁付けの制御が行われてスパークが生じると爆発の危険があるような、難空気領域での利用がある。これらのケースでは、本発明の受信器を保護された照明器具内に設けることができ、低電圧の手持ちリモートコントロール発信器によって照明が制御される。
【００２４】
本発明は、照明レベルの制御について述べられている。しかし、受信器からの出力は、ウィンドシェイド制御システムにおけるモータの位置のような、モータの位置や速度を周知の方法で制御するのにも利用できる。この受信器の出力はまた、ソレノイドのような他のタイプのアクチュエータの制御にも用いることができる。
【００２５】
本発明のその他の特徴および利点は、添付図面を参照して以下に述べる本発明についての説明から明らかとなるであろう。
【発明を実施するための最良の形態】
【００２６】
図１は、本発明に係る新規なシステムのブロック図である。このシステムにおいては、１つのラジエーション受信器・安定器制御回路２０が、電源２１、赤外線信号受信器２２、ＥＥＰＲＯＭ回路２３、マイクロコントローラ２４および調光回路２５よりなる回路を有している。この調光回路２５は適当な半導体パワースイッチを含んでいる。
【００２７】
受信器２２は、任意の狭い帯域のラジエーションに対して応答することができるが、好ましくは赤外線帯域のものがよい。
【００２８】
ラジエーション受信器・安定器制御回路２０は照明器具３０の内部に設けている。照明器具３０については後に詳述する。照明器具３０は、また、公知の各種の調光安定器３１を備えている。この調光安定器は、３２ワットの蛍光灯のごとき１つまたはそれ以上の放電灯に、一定の制御を受けながら電圧を印加する。調光安定器３１は、“Ｈi−Ｌume”安定器または“ＥＣＯ−１０”安定器として知られているものを使用できる。それらの安定器は、本発明の譲受人であるルトロン・エレクトロニクス・カンパニー・インコーポレイテッドから販売されている。
【００２９】
安定器３１は通常、ラジエーション受信器・安定器制御回路２０から引き出された３本の入力用リードを有している。これら３本のリードには、リードＳＨ(スイッチホット)、リードＤＨ(調光ホット)およびリードＮ(ニュートラル)が含まれる。入力用リードＳＨ(スイッチホット)およびＮ(ニュートラル)は受信器・安定器制御回路２０に接続している。受信器・安定器制御回路２０と安定器３１は両者ともに照明器具３０内に存在するので、上記両者間の結線もまた照明器具３０内でなされるが、このことは重要である。
【００３０】
図１に示した照明器具の調光レベルを制御するために、各種公知の赤外線発信器が使用される。図１には２種類の発信器を示している。第１の発信器４０は公知の増減式発信器である。発信器４０は、手持式小型ユニットであって、増大制御ボタン４１と低減制御ボタン４２とを備えている。これらのボタン４１または４２のいずれかを押すことによって、焦点を狭く絞りかつ符号化した赤外線４３のビーム(ビームの拡散角は８度)を発生する。この赤外線のラジエーションは上記受信器２２の光センサに向けて照射され、それにより電灯が安定器により制御されて、出力光が増減する。
【００３１】
後述するところから明らかになることであるが、１つの部屋の中に設けられた複数個の照明装置３０を、たいていの部屋ではほとんどどの位置からでも１つの発信器４０で個別的に制御できる。
【００３２】
上記発信器４０に代えて、より精巧な発信器５０を使用できる。この発信器５０は、たとえば、上記ルトロン社が販売しているもので、グラフイックアイと言う商標で販売されている壁面設置型の調光リモートコントロールである。発信器５０は、１つのアップ／ダウンコントロール５１と複数個の押しボタン５２を備えている。複数個の押しボタン５２は、それぞれ、予めセットされている複数個の調光状態の内の１つに対応していて、安定器３１をその１つの調光状態にする。発信器５０の構成および操作については米国特許第５,１９１,２６５号明細書に述べられている。
【００３３】
後にも述べるが、発信器４０または５０のいずれも、制御されている電灯の調光設定を米国特許第５,１９１,２６５号に述べられた方法で較正するために使用できる。発信器５０を使用するとき、下限目盛合せおよび他のパラメータの目盛合せは、プリセットボタン５２の押下を組み合わせて適切なコード信号を送信することによりできる。
【００３４】
図１に示したラジエーション受信器・安定器制御回路２０の構造を図２〜図４に示している。これらの図に示すように、ラジエーション受信器・安定器制御回路２０は普通の樹脂製バックボックス６０内に収納している。このバックボックス６０は取付用耳部６１,６２を備えている。回路基板６３は、ヨークプレート７０の通常のスナップインポスト６４,６５(図３)上に設けている。回路基板６３は、赤外線センサ２２を支持しており、また、電源２１を含む集積回路と、マイクロコントローラ２４とＥＥＰＲＯＭ２３も支持しており、場合によっては、パワー半導体２５（図３には示さず）を支持する。リードＳＨ,ＤＨおよびＮは、ハウジング６０に設けた開口６６を通って延在している。
【００３５】
ハウジング６０の側面は、通常、金属ヨークによって閉じられている。本発明によれば、ヨークプレート７０は樹脂で成形される。ヨークプレート７０はそれ自体に穿設した開口７１を有している。この開口７１は、使用される赤外線または他のラジエーションを通過させる。したがって、図４に示すように、センサ２２はプレート７０を通って照射されることができる。
【００３６】
ハウジング６０を照明器具内に取り付けるために、新規な構成のフック・ループ・テープ(ベルクロという商標で販売されている)を用いた新規構成の取り付けシステムが使用される。このベルクロテープはリールの形で供給される。そして、このベルクロテープは、互いに着脱自在に合体された互いに協働する２枚のテープより構成している。これらの２枚のテープは、それらの外面に圧感接着剤を有している。その接着面は離型紙で覆っている。図４に最も良く示すように、各テープは一定長に切断されて、テープ片７５がヨーク７０の一部を覆うように取り付けられる。上方のベルクロストリップ７６は、それから離型紙を剥離した上で、取り外しヨーク７０の底面に接着する。ハウジング６０を取り付けるときには、ストリップ７７の底面に取り付けられている離型紙を剥離する(図３参照)。ハウジング６０は、光センサ２２が、配線路用カバー７９に設けたラジエーション受信開口８０,７１(図３参照)の上方に来るように、位置決めされる。つぎに、下方ストリップが、照明器具の配線路用カバー７９(図３参照)の背面側内面に押圧される。
【００３７】
好ましくは、図５に示すように、スナップイン赤外線レンズ８１が開口７１にスナップ止めされる。レンズ８１は、斜め方向からのどのような好ましい角度でのラジエーションも受けられるように設計することができ、したがって特別な用途の要求に適合するように、別のレンズが用いられてもよい。このように、レンズ８１は、その外側の表面にフレネルレンズ８２を有し、天井面に対して非常に浅い角度でレンズ８１に入ってくる赤外線ラジエーションでさえも、ヨーク７０内の開口７１を通って、その軸に沿って且つセンサ２２に向かって照射される。
【００３８】
図ではレンズ８１がセンサ２２に対して真っすぐに並べられているが、感知されたラジエーションをセンサ２２に搬送する光ファイバを用いることも可能であり、そのような光ファイバはレンズ８１から横方向へ移動させることができる。
【００３９】
レンズ８１は、斜め方向からのどのような好ましい角度でのラジエーションも受けられるように設計することができ、したがって特別な用途の要求に適合するように、別のレンズが用いられてもよい。
【００４０】
図６は、前にも説明したように、照明器具の背面７８と配線路用カバー７９の間に受信器のハウジング６０を固定した状態を示している。図６は、また、照明器具の背面７８に対して適当な方法で固定されるところの調光安定器９０を示している。安定器９０は、改装される設備内に設けられている調光なしの安定器に置き換わるものであるが、３つの入力リードＳＨ,ＤＨ,Ｎを備えている。これらの各入力リードは、照明器具の内部にあるラジエーション受信器・安定器制御回路２０から延びる各対応リードに適宜接続している。安定器の出力リード９１は電灯に接続している。
【００４１】
安定器９０は任意の調光安定器とすることができ、たとえば、Ｌutron(登録商標)の“Ｈｉ−Ｌｕｍｅ”(登録商標)安定器を採用できる。
【００４２】
改装作業においては、作業者は、配線路用カバー７９内に小さな開口８０を明けるだけでよい。次いで、安定器９０とラジエーション受信器・安定器制御回路２０が容易に取り付けられ、また互いに結線される。そして、レンズ８１が配線路用カバー７９の開口８０の位置に位置するようにして、配線路用カバーが再び取り付けられる。このようにして、改装は短時間に簡単に行うことができる。
【００４３】
図７および図８は、プリズムレンズカバー１０１を備えた従来の蛍光照明器具１００を示している。このタイプの通常の照明器具は、幅寸法が２フィート、長さ寸法が４フィートであって、４つの３２ワット蛍光管１０２,１０３,１０４,１０５を備えている。電灯のためのすべての配線および安定器９０は配線路用カバー７９の背後に収納されている。この配線路用カバー７９は、照明器具の背面７８にボルト止めされるか、あるいはファスナー止めされる。安定器９０とラジエーション受信器・安定器制御回路２０は照明器具内に収納されていて、したがって、それら２つを接続する配線は照明器具の外側ではない。さらに、小さなレンズ突出部８２だけが、器具の外側に見えている。
【００４４】
本発明は他のタイプの多くの照明器具に適用できる。たとえば、図９は、図８のプリズムレンズ１０１に代えてルーバー１１０を備えた蛍光灯照明器具を示している。図９に示した照明器具は、３つの電灯１１３,１１４,１１５のための２つの配線路用カバー１１１,１１２を備えている。安定器(図示せず)と、ラジエーション受信器・安定器制御回路２０とはカバー１１１内に取り付けており、且つ、レンズ突出部８２を備えたレンズ８１がカバー１１１内に位置している。ラジエーション受信器・安定器制御回路２０は、ルーバー１１０がカバー１１１の底を塞いでいれば、カバー１１１の傾斜面の１つに取り付けられるとよい。
【００４５】
図１０は、本発明を小形ダウンライト型蛍光照明器具のハウジング１２０に適用した状態を示している。したがって、小形の蛍光灯１２１が反射板１２２の中に設けられている。調光安定器１２３はハウジング１２０の外部に固定している。そして、その入力配線１２４(ＳＨ,ＤＨ,Ｎリード)はラジエーション受信器・安定器制御回路２０の関連出力配線１２５に接続している。ラジエーション受信器・安定器制御回路２０は照明器具のハウジング１２０の内側に望み通りに設けている。そして、レンズ突出部８２を備えたレンズ８１が、赤外線信号の照射が受けられるように、ハウジング１２０に形成した開口を通って突出している。ラジエーション受信器・安定器制御回路２０と安定器１２３との相互結線はハウジング１２０の内部で行なわれる。安定器１２３から蛍光灯１２１に至る出力配線１２６もまたハウジング１２０の内部に収納されている。すべての入力ライン１２７(ホットとニュートラルとに切り換えられる)は配線管１２８を通ってハウジング１２０内に導入される。このようにして、前記実施形態に示されるように、人目につかない赤外線センサが既存の照明器具１１６内に固定される、すなわち改装される。またすべての配線の接続はハウジング１２０内部で行なわれる。
【００４６】
図１１は、小形蛍光灯１２１を備えた他のタイプの照明器具を示している。ハウジング１３０はコーン状であって、天井１３１と面一となるように適宜設けている。配線ボックス１３２はコーン１３０に固定している。また、調光安定器１３３とラジエーション受信器・安定器制御回路２０は、それぞれ、ボックス１３２の反対側の面に設けているとともに、ボックス１３２と内部接続している。電力の入力は金属管１３７により照明器具内に導入される。また蛍光灯１２１への出力ラインは管１３４内に収納されている。この構造は、天井１３１の領域からラジエーション受信器・安定器制御回路２０を物理的に離すものであるから、光パイプ１３５は、天井タイル１３１内にスナップアクションで止め付けられるレンズ突出部８２を備えたレンズ８１に達する。
【００４７】
本発明は、また、図１２に示すように、天井用白熱灯の照明器具に適用できる。図１２において、白熱灯キャノピー照明器具１４０は天井１４２に固定される配線ボックス１４１を有している。支持プレート１４３が配線ボックス１４１を横切るように設けられていて、中空ネジ１４４を支持している。中空ネジ１４４はチェーン１４６を介して電燈ホルダー１４５を支持している。本発明によれば、ハウジング１４０から外に突出する突出部８２を備えたレンズ８１を有するラジエーション受信器・調光器のハウジング１５は、ハウジング１４０内に設けている。ボックス１４１からの電源ケーブルはラジエーション受信器・調光器１５に接続している。このラジエーション受光器・調光器１５は、レンズ８１を通して受信される赤外線信号により制御されるパワー半導体調光器を有している。ラジエーション受信器・調光器１５からの出力ケーブルは、調光ホットケーブルおよび調光ニュートラルケーブルを含み、ネジ１４４の中を通って延びていて、ホルダ１４５内の１つまたは２つ以上の白熱灯に接続している。
【００４８】
天井面に配設された白熱灯照明器具は、図１２に示しかつ説明したように、部屋の中の異なる位置にいる使用者それぞれが満足するように選択的に調光できるようになっている。さらに、そのような各電燈は、センター間距離が約２フィートよりも大きい間隔で設けることができ、それでもなおかつ、約８度の拡散ビームを発射する赤外線発信器で互いに区別することができる。本発明に係る新規な構成の受信器は、また、壁から突出した燭台式電燈や電燈コードおよびこれに類するものに取り付けて使用できるとともに、図１０および図１１に示したものと類似の設計を有する白熱灯のダウンライトにも使用できる。しかしこの場合、蛍光灯ではなく白熱灯が用いられる。
【００４９】
さらに、本発明はトラック照明器具に適用することができる。トラック照明装置においては、受信器・調光器は、トラックに取り付けられるアダプタ内に組み込まれ、制御される照明器具は該アダプタに取り付けられる。
【００５０】
各照明器具の中に所定間隔で設けられている複数個の安定器は、単一の受信器で制御できる。本発明に係る受信器を備えた照明器具は、周囲の明るさに応じて電燈の照度を調節するためのフォトセル検出器のような入力手段とともに使用できる。さらに、この新規構成の受信器は、また、外付け調光コントロールとともに用いることができる。この調光コントロールにおいては、電燈の調光は、赤外線発信器の制御や、オキュパンシィ検出器、あるいは手動制御またはタイマあるいはこれに類するものの下で達成できる。
【００５１】
図１３は、これら種々のコントロールを有する本発明のシステムを示すブロック図である。このように、図１３において、ラジエーション受信器のハウジング６０は、カバー７９内の開口を通して露出されるレンズ８１の表面８２を有している。ラジエーション受信器のハウジング６０は、安定器３１と、この安定器によって点灯している電燈とに印加する電源を制御するための調光器制御回路２０に適宜連結されている。
【００５２】
調光器制御回路を制御するための入力数は示されている。
【００５３】
第１番目は、前述したリモート赤外線発信器４０または５０である。
【００５４】
調光器回路２０はまた、外部調光器３００によって制御されてもよい。この外部調光器３００は、一つのまたは一群の照明器具を制御するために設けられていた従来装置であってもよい。調光器３００は、電燈出力の最大照度（maximum light level）または最小照度を設定することができる。またこの調光器３００は、電燈出力を設定すべく内部調光器制御回路２０を無視してもよい。この場合、外部調光器３００またはラジエーション発信器４０又は５０の、最後に操作された方が電燈出力を決定する。
【００５５】
外部調光器３００の出力信号は、従来技術において知られた数多くの形をとることができる。例えば、位相制御された信号の形や、可変電圧信号、または上昇／下降信号の形を有することができる。
【００５６】
外部調光器３００の出力信号は、数値状態に応答して変化させることができる。例えば、電燈を点灯または消灯させたり、それらのレベルを調整したり、あるいはプリセットされている幾つかのレベルから選択したりできる外部手動コントロール３０１によるようにして、手動で制御することができる。他の一方の入力は、外部周囲光の機能として調光器出力を制御するフォトセンサによってもよい。従来のオキュパンシィセンサ３０３およびタイムクロック３０４、あるいは中央リレーステーションコントロール３０５もまた、無視するために採用でき、且つ、電燈を点灯または消灯させたり、それらのレベルを望どおりに調整したりできる。これらの装置は、制御外部調光器３００として示されている。それらは、しかしながら、調光器制御回路２０を直接制御することもできる。
【００５７】
外部調光器３００の出力または外部入力３０１,３０２,３０３,３０４および３０５は、調光器制御回路２０を制御するとき、電線（高圧または低圧のいずれか）によって、または電源線支持体によって、または無線信号によって、または電話インターフェースの使用によって、あるいはその他の適当な手段によって、調光器制御回路２０に直接接続されてもよい。
【００５８】
図１３ａから図１３ｈは、図１３に描かれた構成が可能な幾つかの例を模式的に描いている。
【００５９】
図１３ａは、リモート赤外線発信器４０又は５０を示している。この発信器は、調光安定器およびラジエーション受信器（図示せず）を備えて独立した一つの照明器具７００を調光できる。照明器具７００は、制御可能な他のいかなる電気器具にも取って代わることができる。勿論、所定の間隔を置いて設置された複数の器具が共通の発信器によって調光されることもでき、あるいは選択的に調光されることもできる。
【００６０】
図１３ｂは、図１３ａのシステムに壁付け調光器７０１が加えられたシステムを示しており、このシステムでは、調光器７０１または発信器４０又は５０の最後に操作された方が器具７００の出力を制御する。また変形例として、壁付け調光器７０１によって、器具７００のための上限調整値（upper trim limit）または下限調整値（lower trim limit）が制御されてもよい。
【００６１】
図１３ｃは、図１３ａのシステムにオキュパンシィセンサ７１０を備えたシステムを示しており、このセンサ７１０は、器具７００のためのオン／オフまたは調光状態の高／低を制御できる。
【００６２】
図１３ｄに示すように、器具７００の出力をコントロール４０又は５０とは独立して周囲の明るさに応答して制御するように、フォトセンサ７１１を、器具７００の調光器コントロールに連結することができる。
【００６３】
図１３ｅは、リレーパネル７２０と、そのコントロール７２１（リモート）および７２２（壁付け）とが、所定の間隔で配置された照明器具７００ａ,７００ｂおよび７００ｃを制御する形態を示している。これらの照明器具は、器具７００ｃとは独立してリレーパネル７２０から選択的に操作できるように、器具７００ａおよび７００ｂを選択的にグループ化することができる。なお、この場合、各器具は、ラジエーション発信器４０／５０のコントロール下において選択的に操作することが可能である。
【００６４】
図１３ｆは、図１３ａのシステムにタイムクロック７２９の重ね制御（superimposed control）を備えたシステムを示している。図１３ａのシステムはまた、図１３ｇに示されるようなルトロン・エレクトロニクス・カンパニー・インコンポレイテッドから製造販売されているマイクロワット（登録商標）コントローラのコントロールを無視することもできる。このように、二つの照明器具７００ａおよび７００ｂは、一つまたはそれ以上の個々の発信器４０又は５０によって操作可能であるが、７３０（マイクロワットユニット）を通して、コントロール手段７１１（フォトセンサ）、７０１（壁付け調光器）、７２２（タイムクロックコントロール）による制御を有している。
【００６５】
図１３ｈは、ルトロン・エレクトロニクス・カンパニー・インコンポレイテッドから製造販売されているグラフィックアイ（プリセット）のコントロールを無視する発信器４０又は５０と照明器具７００とを示している。
【００６６】
図１４は、天井における蛍光灯照明器具の代表的なレイアウトを示している。このように、四つの照明器具１５０,１５１,１５２および１５３は、それぞれ横２フィート縦４フィートの寸法を有しており、横方向に中心間距離８フィート、縦方向に中心間距離１４フィートで取り付けられている。各照明器具は、本発明のシステム（例えば図１から図９に示すように）を備えており、それぞれ、広角のレンズ突出部８２を有している。８°の出力ビームを有する赤外線発信器を用いることによって、それぞれ所定の間隔で配置された照明器具は、個々の器具を他の全ての器具から容易に区別して調光することができる。例によっては、縦横共に３０フィート、天井高さ１０フィートの事務室を想定する場合もある。高さ３フィートの位置に天井に直接向けて保持された発信器が、直径約１フィートの円１６０を照射することを示すことができる。このようにして、２フィートの間隔で近接して配置された照明器具も容易に区別することができる。さらには、幅約３.６フィート、長さ約９フィートの部屋で、部屋の壁から５フィート離れて発信器を３フィートの高さで持っている人が、部屋の反対側で彗星のような形状を呈した区域１６１を照射することができる。このようにして、照明器具１５０から１５４のどれもが、部屋のどこに配置されていても容易に区別される。
【００６７】
図１５は、図１の受信器の回路図である。図１５においては、図１のマイクロプロセッサ２４およびＥＥＰＲＯＭ２３の双方が、ＳＴ６２６０型の集積回路１７０内にそれぞれ含まれている。
【００６８】
図１５は、スイッチホットＳＨ、調光ホットＤＨおよびニュートラルＮのリードを、光結合電源スイッチ（optocoupled power switch）１７１と共に示している。このスイッチは、複数の発光ダイオードに光学的に結合されたトランジスタ１７２を含むＴＬＰ６２０型オプトアイソレータとして示されている。また、これら発光ダイオードは、後述のゼロクロス点検出回路１７３の出力によって、交互に制御される。適当な増幅器が、トランジスタ１７２の出力をコントロールパワーＭＯＳＦＥＴ１７２ａに連結する。このコントロールパワーＭＯＳＦＥＴ１７２ａは、交互に端子ＤＨに接続される。電源スイッチ回路１７１は、図１の調光器２５に相当し、回路基板６３に設けられている。
【００６９】
電源回路はまた、図１５の回路内にも含まれており、ブロック２１内に示されている。電源２１は、回路内の種々の５ボルト端子に接続された端子１７５で、調整された５ボルトの出力を発生する。主電源制御装置はＭＯＳＦＥＴ Ｑ１である。制御回路は、周知のものである。一般に、操作において、端子１７５での出力電圧が上昇していると、トランジスタＱ５は、ゲート駆動のＭＯＳＦＥＴ・Ｑ１を調整すべくオンにし始める。さらに、Ｑ１を通るドレーンからソースへの電流が大き過ぎると、抵抗Ｒ７での電圧降下が増大し、ＭＯＳＦＥＴ・Ｑ１のためのゲート電圧を低下させるべくトランジスタＱ３をオンにし始める。抵抗Ｒ１,Ｒ２およびＲ３は、プルアップ抵抗（pull-up resistor）である。さらに、接続点１７６における電圧が７０ボルトを超えるとき、分圧器Ｒ４,Ｒ５,Ｒ６,Ｒ９およびＲ１０の接続点１７７での電圧が、ＭＯＳＦＥＴ・Ｑ１のゲートをオフにすべくトランジスタＱ４をオンにする。
【００７０】
さらに、接続点１７８での瞬間電圧が０.６ボルトよりも低い場合には、ゼロクロスセンサ１７３がオフにされ、マイクロプロセッサ１７０がピン１７および２０で、ゼロクロスのあったことを知らせる。そのとき、適宜位相遅れした点弧信号を、ピン７からカプラー１７１内の発光ダイオードへ出力するためのタイミングが与えられる。したがって、１７２での出力波形は電圧波形であって、交流波の各半周期毎の短い制御された期間に従う。
【００７１】
次に図１５に示されているのは、チップ１７０のピン１４および１５に接続された８MHzのセラミック共振子１８１を含んでいる従来のタイミング回路１８０である。
【００７２】
不足電圧検出器１８５が設けられており、この検出器は、チップＵ３を含んでいると共に、オフへの切り替えが要求されるときに回路を確実にオフにすべく作動する。検出器１８５は、リセットピン１６に接続されている。
【００７３】
最後に、赤外線受信器回路２２が設けられている。この受信器回路２２は、シャープＧＰ１Ｕ５６、ＩＲプリアンプチップ１９０を含んでいてもよい。ＩＲプリアンプチップは、図１５に破線で外形を描いて示したレンズ８１と共に作用する。ＩＲプリアンプ２２の出力は、チップ１７０のピン１２および『コモン（common）』に接続されている。
【００７４】
図１５に示されたその他の全ての構成要素については、図示のように相互接続されており、チップ１７０のピンもまた図示のように接続されている。
【００７５】
チップ１７０の内蔵ＲＯＭは、適宜プログラムされている。図１６は、適当なプログラムのためのフローチャートを示している。
【００７６】
図１６に示すように、プログラムでは、まず最初（図の左側のフローにおいて）、電源オン操作２００および初期化操作２０１を行う。導入は５０Hz用または６０Hz用になされるので、決定ブロックは５０Hz初期化または６０Hz初期化のいずれかを選択するように採用される。
【００７７】
初期化の後、現時点状態はチップ１７０内のＥＥＰＲＯＭから検索される（ステップ２０５）。タイマ回路が赤外線サンプリングのために始動され（２０２）、タイマがＦＥＴの駆動／トライアックの点弧（firing）のために始動される。システムは、正のゼロクロスを待ち（２０６）、ピン１７および２０でのゼロクロス信号が得られると同時に、ブロック２０７で、チップ１７０のタイマが、点弧信号を初期化すべく所望の点弧時間で設定される。
【００７８】
完全な赤外線信号が復号のために提供されたか否かを決定する決定ブロック２０９に、ある出力が与えられる。ライン２１０は『イエス』すなわち『信号有り』の場合であり、図１６のブロック２１１において信号の復号が行われる。信号がなかった場合には、ライン２１２にしたがって、２１３で負のゼロクロスへ行くための待ちに初期化が行われる。
【００７９】
負のゼロクロスの後、回路は再び、完全な赤外線信号が復号のために提供されたか否かを、ブロック２１５でチェックする。『イエス』の場合、信号はブロック２１６で復号され、制御はブロック２１７へ進む。ブロック２１７では、所望の照度が現時点照度と異なっているか否かについての決定がなされる。『イエス』の場合、ステップ２２０（図の右側のフロー）で制御されたフェードを、新しく復号化された値にする。この値は、手持ちのコントローラによって設定される。ステップ２２１で、所望の点弧時間が最後の瞬間で変更を望まれたか否かの決定がなされる。変更されていた場合には、新しい状態をセーブするようにブロック２２２でＥＥＰＲＯＭ内に、その変更された時間が記録される。回路は、ステップ２２３で完全な赤外線信号のためのチェックがなされ、信号有りの場合にはブロック２２４でそれを復号する。ユニットは、ブロック２２５で主電源装置の点弧を待つ。回路は、もう一度、完全な赤外線信号のためのチェックを行う。その後、ユニットは、ライン２２７の２０６で次の正のゼロクロスを待つ。
【００８０】
図１３を参照して前述したように、付加的な外部調光入力は、照明器具内に取り付けられている調光器制御回路２０に接続することができる。
【００８１】
図１７は、電圧が０〜１０ボルト（あるいは如何なる所望の範囲であっても）の可変信号が、例えば、ラジエーション発信器４０または５０に応答する調光器のように、あるいは電圧が０〜１０ボルトの種々の入力に対して応答する調光器のように、図１５の制御回路に使用することが可能な形態を示している。可変入力電圧は、例えば、手動の調光器や、周囲光の照度センサ（light sensor）から、あるいはオキュパンシィ検知器や、その類いの構成から得ることができる。
【００８２】
図１７において、０〜１０ボルトの入力信号電圧は、入力端子４００および４０１の間で、標準の５５５タイマ集積回路４０３の入力ピン１および５に印加される。適当なバイアスが図示のように接続され、出力端子４０４が図１５のマイクロプロセッサ１７０の入力ポート１に接続される。図１７の回路の入力端子４０５が、図１５のマイクロプロセッサ１７０の出力端子２に接続される。端子４０４および４０５は、共にオプトアイソレータ４１０および４１１を通してタイマ４０３の各ピンに接続される。
【００８３】
図１７の入力を用いるとき、マイクロプロセッサ１７０の運転を示す図１６のフローチャートは、図１８に示すように調整される。図１８において、ステップ２００から２１６は、図１６のそれらと同じである。ステップ２１６に続いて、図１７の端子４０５における出力ポートはハイ（４５０）になり、タイマの値がステップ４５１で記録される。ステップ４５４で、端子４００の電圧に基づいて計算が行われ、このレベルに相当する照度レベルがステップ４５５で計算される。ブロック４５５は、電圧信号の結果が決定されるブロックである。電圧信号が上限調整値信号（high end trim signal）または下限調整値信号（low end trim signal）を示しているとき、赤外線入力によって生じている照度レベルは、それが、電圧信号レベルによって示されたレベルよりも低いか高いかを見るためにテストされる。そうであるとき、そのレベルは、ブロック２１７で用いられる。そうでないとき、電圧信号によって設定されたレベルがブロック２１７で用いられる。
【００８４】
入力電圧信号がオーバーライド信号として作用する場合には、ブロック４５５は、最後に変更された信号がどちらかを決定する。変更のための最後の入力によって与えられるレベルは、ブロック２１７で用いられるレベルとなり、それ以降のシステムは、図１６の説明で述べたように進行する。
【００８５】
図１９は、外部調光器制御回路を示している。この回路は、図１７の外部制御回路に代わって（あるいは、共に）用いることができる。図１９においては、ルトロン・エレクトロニクス・カンパニー・インコンポレイテッドのマエストロ（登録商標）入力回路に用いられるようなリモートコンロール装置（図示せず）が、上昇接触、下降接触およびトグル接触を有している。これらの各出力回路は端子５００に接続されており、この端子５００は、出力端子５０４および５０５に交互に連結される。これら出力端子５０４および５０５は、図１５のマイクロプロセッサ１７０のピン１および２に交互に接続される。
【００８６】
上昇制御ボタンが押されるとき、回路は正の周期で閉成される。こうして端子５０４および５０５は、正の周期でハイとなる。負の周期では、端子５０４はハイで端子５０５がローである。
【００８７】
下降制御ボタンが押されるとき、回路は負の周期で閉成される。こうして端子５０４および５０５は正の周期でそれぞれハイとローになり、負の周期で共にローとなる。
【００８８】
トグル接触の位置では、幾つかの周期の間に回路が閉成される。このように、トグル制御ボタンが押されると、端子５０４および５０５は、正の周期で共にハイ、負の周期で共にローとなる。
【００８９】
図２０は、図１５および図１９のシステムのためのフローチャートを示す。このフローチャートでは、ステップ２１２の後に上昇信号をチェックする（ステップ５１０で）システムと、下降信号をチェックする（ステップ５１１で）システムとを除いて、図１６のフローチャートと同じである。最後の周期で上昇または下降があったか否かの決定がステップ５１２でなされる。上昇または下降があった場合、信号は５１３でトグル信号に変更され、新しい照度レベルが５１４で計算される。上昇、下降およびトグルの入力は、等価赤外線信号と同じ方法で解釈することができる。
【００９０】
本発明に有用な、さらに別の種類の入力、ないしリモート入力は、図２１に示されるような位相制御入力である。この入力は、ルトロン・エレクトロニクス・カンパニー・インコンポレイテッドのハイ・ルメ（登録商標）調光器において用いられている。図２１においては、位相制御された入力信号が端子６００および６０１に接続されている。この信号は、オプトアイソレータ６０２によって端子６０３に結合されている。端子６０３は、図１５のマイクロプロセッサ１７０の入力ポート１に接続される。図２１の制御回路は壁付け調光器内に配置でき、１ナノファラッドのキャパシタ６０４がノイズイムイニティを与える。三つの抵抗６０５,６０６および６０７は、交流電源線を１２０ボルト〜２７７ボルトの調節範囲で変化させることができる。
【００９１】
端子６００および６０１における入力信号の位相制御された波形は、シャープな下降エッジおよび上昇エッジを有し、入力制御信号のデューティサイクルを規定する。
【００９２】
図２２においては、図２１の回路を付加するために、図１６のフローチャート図が図示のように変更されている。プログラムは、ステップ２０６の後とステップ６２０においてシステムが、図２１の端子６００および６０１における位相制御入力のデューティサイクルを調べるように設定されている点で異なっている。さらに、ステップ２２５に続いて、位相制御のデューティサイクルが記録されたか否かの決定をステップ６２１でなし、記録された場合には位相制御がステップ６２２で計算され、ステップ６２３で照度制御信号に変換される。新しい照度レベルは、それが図１８のブロック４５５で電圧レベル信号のために計算されたのと同様に、ブロック６２３で計算されることができる。それが上限調整値または下限調整値である場合には、赤外線入力レベルがチェックされ、位相制御信号よりもそれぞれ低ければ、または高ければ、次のパスでループを通ってブロック２１７で用いられる。
【００９３】
もし、それがオーバーライド信号として以前に用いられていれば、ブロック６２３は、いずれの入力が最後に変更されたかを決定し、その値をブロック２１７で用いる。
【００９４】
本発明は、その実施形態に関して説明した。しかし、当業者にとっては、他の変形態様は明らかである。したがって、本発明は、ここに開示した特別の開示に限定されるものではなく、請求の範囲の記載にのみ限定されるものである。
【図面の簡単な説明】
【００９５】
【図１】本発明で使用される照明器具のブロック図である。この照明器具は、遠隔操作されるラジエーション発信器を伴ったラジエーション受信器・安定器制御回路に適合している。
【図２】本発明で使用できる受信器・安定器制御回路のハウジングを示す正面図である。
【図３】図２の３−３線部分断面図である。図は樹脂製ヨーク、器具の背面および配線路用カバー、フック・ループタイプのファスナを分解して示している。
【図４】図２および図３に示された受信器・安定器制御回路のハウジングを示す底面図である。
【図５】受信器・安定器制御回路ハウジング内の正しい位置にあるスナップイン式広角赤外線透過レンズを備えた配線路用カバーの断面図である。
【図６】図５のレンズが、照明器具の配線路内に配置されている図３の受信器・安定器制御回路を示す部分断面図であり、この回路は照明器具の内部における調光安定器のリードに接続されている。
【図７】プリズムレンズを備えた蛍光照明器具の底面すなわち光出力側を示す図である。この器具は本発明に係る新規構成の赤外線受信器を含んでいる。
【図８】図７において８−８線に沿って取った断面図である。
【図９】図８の断面図と同様に器具の断面図を示すが、プリズムレンズに代わってルーバーを備えている。
【図１０】本発明の受信器・安定器制御回路を備えた小型蛍光灯ダウンライトの照明器具の概略断面図である。
【図１１】図１０の器具と同様に、本発明の受信器・安定器制御回路を備えた小型蛍光灯ダウンライトの照明器具の変形例の概略断面図である。
【図１２】本発明を白熱灯照明装置のキャノピーに適応した状態を概略的に示す図である。
【図１３】本発明のブロック図であり、調光およびオン／オフ制御の機能を許容する補助のセンサおよびコントロールとの接続を示す。
【図１３ａ】本発明と共に用いることのできるサブコンビネーションを概略的に示す図である。
【図１３ｂ】本発明と共に用いることのできるサブコンビネーションを概略的に示す図である。
【図１３ｃ】本発明と共に用いることのできるサブコンビネーションを概略的に示す図である。
【図１３ｄ】本発明と共に用いることのできるサブコンビネーションを概略的に示す図である。
【図１３ｅ】本発明と共に用いることのできるサブコンビネーションを概略的に示す図である。
【図１３ｆ】本発明と共に用いることのできるサブコンビネーションを概略的に示す図である。
【図１３ｇ】本発明と共に用いることのできるサブコンビネーションを概略的に示す図である。
【図１３ｈ】本発明と共に用いることのできるサブコンビネーションを概略的に示す図である。
【図１４】天井に所定の間隔で設置された四つの照明器具を、８°ビームの発信器から発信されたラジエーションの、これら器具が設けられた室内での二つの異なった位置の器具の箇所における外形すなわち『照射部の輪郭』と共に示す図である。
【図１５】図１の受信器・安定器制御回路、ＥＥＰＲＯＭ、および電源の回路図である。
【図１５ａ】図１５の詳細を示す図である。
【図１６】図１５のマイクロプロセッサに導入されたプログラムのフローチャート図である。
【図１７】外部制御信号外部０から１０ボルトに変化するリモート発信器入力と共に、図１３の調光安定器への外部調光器入力を示す回路図である。
【図１８】図１５および図１７のシステムのために調整されたフローチャート図である。
【図１９】図１５のシステムに適用できる上昇信号および下降信号を発生する外部調光器の回路図である。
【図２０】図１５および図１９のシステムのために調整されたフローチャート図である。
【図２１】図１５のシステムに適用できる位相遅れさせた制御信号を発生する外部調光器の回路図である。
【図２２】図１５および図２１のシステムのために調整されたフローチャート図である。
【符号の説明】
【００９６】
２０    ラジエ−ション受信器・安定器制御回路，調光器制御回路
２１    電源
２２    赤外線信号受信器，赤外線センサ，光センサ，受信器回路
２３    ＥＥＰＲＯＭ回路
２４    マイクロコントローラ，マイクロプロセッサ
２５    調光回路，調光器
３０    照明器具
３１    調光安定器
４０    発信器，リモート赤外線発信器
４１    増大制御ボタン
４２    低減制御ボタン
４３    赤外線
５０    発信器，リモート赤外線発信器
５１    アップ／ダウンコントロール
５２    押しボタン，プリセットボタン
６０    バックボックス，ハウジング
６１，６２  取付用耳部
６３    回路基板
６４，６５  スナップインポスト
６６    開口
７０    ヨークプレート
７１    開口
７５    テープ片
７６    ベルクロストリップ
７７    テープストリップ
７８    背面
７９    配線路用カバー
８０    開口
８１    赤外線レンズ
８２    フレネルレンズ，レンズ突出部
９０    調光安定器
９１    出力リード
１００  蛍光照明器具
１０１  プリズムレンズカバー
１０２，１０３，１０４，１０５  蛍光管
１１０  ルーバー
１１１，１１２  配線路用カバー
１１３，１１４，１１５  電灯
１１６  照明器具
１２０  ハウジング
１２１  蛍光灯
１２２  反射板
１２３  調光安定器
１２４  入力配線
１２５  出力配線
１２６  出力配線
１２７  入力ライン
１２８  配線管
１３０  ハウジング
１３１  天井，天井タイル
１３２  配線ボックス
１３３  調光安定器
１３４  管
１３５  光パイプ
１３７  金属管
１４０  白熱灯キャノピー照明器具，ハウジング
１４１  配線ボックス
１４２  天井
１４３  支持プレート
１４４  中空ネジ
１４５  電燈ホルダ
１４６  チェーン
１５０，１５１，１５２，１５３  照明器具
１７０  集積回路，マイクロプロセッサ
１７１  光結合電源スイッチ，電源スイッチ回路
１７２  トランジスタ
１７２ａ  コントロールパワーＭＯＳＦＥＴ
１７３  ゼロクロス点検出回路，ゼロクロスセンサ
１７５  端子
１７６，１７７，１７８  接続点
１８０  タイミング回路
１８１  セラミック共振子
１８５  不足電圧検出器
１９０  ＩＲプリアンプチップ
３００  外部調光器
３０１  外部手動コントロール，外部入力
３０２  外部入力
３０３  オキュパンシィセンサ，外部入力
３０４  タイムクロック，外部入力
３０５  中央リレーステーションコントロール，外部入力
４００，４０１，４０５  入力端子
４０３  タイマ
４０４  出力端子
５００  端子
５０４，５０５  端子
６００，６０１，６０３  端子
６０２  オプトアイソレータ
６０４  キャパシタ
６０５，６０６，６０７  抵抗
７００，７００ａ，７００ｂ，７００ｃ  照明器具
７０１  調光器
７１０  オキュパンシィセンサ
７１１  フォトセンサ
７２０  リレーパネル
７２１  コントロール
７２２  タイムクロックコントロール
７２９  タイムクロック
７３０  マイクロワットユニット
【図１】
2006100279.tif 000003
【図２】
2006100279.tif 000004
【図３】
2006100279.tif 000005
【図４】
2006100279.tif 000006
【図５】
2006100279.tif 000007
【図６】
2006100279.tif 000008
【図７】
2006100279.tif 000009
【図８】
2006100279.tif 000010
【図９】
2006100279.tif 000011
【図１０】
2006100279.tif 000012
【図１１】
2006100279.tif 000013
【図１２】
2006100279.tif 000014
【図１３】
2006100279.tif 000015
【図１３ａ】
2006100279.tif 000016
【図１３ｂ】
2006100279.tif 000017
【図１３ｃ】
2006100279.tif 000018
【図１３ｄ】
2006100279.tif 000019
【図１３ｅ】
2006100279.tif 000020
【図１３ｆ】
2006100279.tif 000021
【図１３ｇ】
2006100279.tif 000022
【図１３ｈ】
2006100279.tif 000023
【図１４】
2006100279.tif 000024
【図１５】
2006100279.tif 000025
【図１５ａ】
2006100279.tif 000026
【図１６】
2006100279.tif 000027
【図１７】
2006100279.tif 000028
【図１８】
2006100279.tif 000029
【図１９】
2006100279.tif 000030
【図２０】
2006100279.tif 000031
【図２１】
2006100279.tif 000032
【図２２】
2006100279.tif 000033
【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
頭上に間隔を置いて設置された複数の蛍光灯照明器具の改装方法であって、
上記各照明器具の配線路用カバーを取り外して、その中の安定器を露出させるステップと、
上記各照明器具の安定器を、それぞれ調光安定器に取り替えるステップと、
上記配線路用カバーのそれぞれに小孔を形成するステップと、
広角ラジエーション受信レンズを有するラジエーション受信器ハウジングを、上記照明器具内に、且つ、上記配線路用カバー上に、上記小孔に位置合わせして取り付けるステップと、
上記ラジエーション受信器ハウジングの出力線を上記調光安定器の線に接続するステップであって、該接続された線が照明器具の中に収容された状態にこれらの線を接続するステップと、
上記配線路用カバーを、上記調光安定器、ラジエーション受信器および上記出力線を収納するように、元に戻すステップとを有する照明器具の改装方法。
【請求項２】
調光器制御回路が設置されており、且つ、天井に設置するようにされた照明器具のハウジングと、
該ハウジングに設けられ、且つ、調光器制御回路に接続される少なくとも１つの電灯と、
該ハウジング内に固定され、且つ、ラジエーションセンサを有し、且つ、調光器制御回路に接続され、且つ、コード化されたラジエーション信号を上記ラジエーションセンサが受信するのに応じて、上記少なくとも１つの電灯の出力を調節するように作動するラジエーション受信器のラジエーション受信器回路と、
ラジエーションセンサに通じた状態で上記ハウジングに形成される開口と、
ラジエーション受信器回路および調光器制御回路の出力を調整することによって上記少なくとも１つの電灯の調光を調節するように、上記ハウジングの下の位置からラジエーションセンサに向けてラジエーションを送るための手動操作タイプのポータブル型ラジエーション発信器と、
上記ハウジングから離れて取り付けられ、且つ、上記調光器制御回路に接続され、且つ、該調光器制御回路の出力を変更すべく作動する外部スイッチ手段であって、上記ラジエーション発信器の操作を無視して操作できる外部スイッチ手段とを備えた調光システム。
【請求項３】
上記外部スイッチ手段は、手動のオン／オフスイッチである請求項２記載の調光システム。
【請求項４】
上記外部スイッチ手段は、タイムクロックである請求項２記載の調光システム。
【請求項５】
上記外部スイッチ手段は、オキュパンシィセンサである請求項２記載の調光システム。
【請求項６】
上記外部スイッチ手段は、中央リレーシステムの少なくとも一部を含んでいる請求項２記載の調光システム。
【請求項７】
調光器制御回路が設置されており、且つ、天井に設置するようにされた照明器具のハウジングと、
該ハウジングに設けられ、且つ、調光器制御回路に接続される少なくとも１つの電灯と、
該ハウジング内に固定され、且つ、ラジエーションセンサを有し、且つ、調光器制御回路に接続され、且つ、コード化されたラジエーション信号を上記ラジエーションセンサが受信するのに応じて、上記少なくとも１つの電灯の出力を調節するように作動するラジエーション受信器のラジエーション受信器回路と、
ラジエーションセンサに通じた状態で上記ハウジングに形成される開口と、
ラジエーション受信器回路および調光器制御回路の出力を調整することによって上記少なくとも１つの電灯の調光を調節するように、上記ハウジングの下の位置からラジエーションセンサに向けてラジエーションを送るための手動操作タイプのポータブル型ラジエーション発信器と、
上記ハウジングから離れて取り付けられ、且つ、上記調光器制御回路に接続され、且つ、上記少なくとも１つの電灯の調光を調整するように操作できる外部調光手段とを備えた調光システム。
【請求項８】
上記外部調光手段は、上記少なくとも１つの電灯の照度を最低に設定すべく操作できる請求項７記載の調光システム。
【請求項９】
上記外部調光手段は、上記少なくとも１つの電灯の照度を最高に設定すべく操作できる請求項７記載の調光システム。
【請求項１０】
上記調光器制御回路は、上記ラジエーション発信器から独立して上記少なくとも１つの電灯の調光を調整するように操作できる請求項７記載の調光システム。
【請求項１１】
上記外部調光手段から上記調光器制御回路への出力信号は、位相制御された信号である請求項７記載の調光システム。
【請求項１２】
上記外部調光手段から上記調光器制御回路への出力信号は、可変電圧信号である請求項７記載の調光システム。
【請求項１３】
上記外部調光手段から上記調光器制御回路への出力信号は、上昇／下降信号である請求項７記載の調光システム。
【請求項１４】
上記ハウジングから離れて取り付けられ、且つ、上記調光器制御回路に接続され、且つ、該調光器制御回路の出力を変更すべく作動する外部スイッチ手段であって、上記ラジエーション発信器の操作を無視して操作できる外部スイッチ手段をさらに備えた請求項７記載の調光システム。
【請求項１５】
約８フィートの高さを有する部屋の天井に取り付けられた少なくとも第１および第２の照明器具を備え、
各照明器具が調光器回路およびラジエーションセンサをそれぞれ有し、これによって、第１および第２の各照明器具の出力光が、赤外線ラジエーションによる上記ラジエーションセンサの照射により調整され、
上記第１および第２の照明器具が、２フィートよりも大きく間隔を置いて配置され、
約８°のビーム角で赤外線ビームを出力するポータブル型ラジエーション発信器を備え、
上記ラジエーションセンサのそれぞれが、約３０°よりも大きい受信角を有し、これによって、第１および第２の照明器具のいずれか一方のラジエーションセンサが、上記ラジエーション発信器のビームによって、他方が照射されずに、照射される調光システム。
【請求項１６】
上記ラジエーションセンサのそれぞれは、３０°と６０°との間の受信角度を有する着脱可能な広角受信レンズを備えた請求項１５記載の調光システム。
【請求項１７】
制御可能な複数の装置のうちの一つだけを選択的に制御するための制御システムであって、
間隔を置いた位置関係にある複数の制御可能な装置の一つ一つを収納し且つ取り付けるための各ハウジングと、
該各ハウジングの中に固定され、且つ、それぞれにラジエーションセンサを有するラジエーション受信器のラジエーション受信器回路と、
上記ラジエーションセンサのそれぞれに通じた状態で上記ハウジングのそれぞれに形成された開口とを備え、
各ラジエーション受信器回路は、それぞれの制御可能な装置に直接接続され、且つ、コード化されたラジエーション信号を上記ラジエーションセンサが受信するのに応じて、上記制御可能な装置の運転を調節するように作動することができ、
さらに、一つの上記制御可能な装置の運転を他の制御可能な装置から独立して調節するために、選択的に上記ラジエーションセンサの一つに向けてラジエーションを発信するための、手動操作タイプのポータブル型ラジエーション発信器を備えた制御システム。
【請求項１８】
上記ハウジングは、間隔を置いた位置関係で部屋の天井に取り付けられた照明器具であり、上記制御可能な装置は調光コントローラであり、該調光コントローラは、それらの照明器具の出力光を制御する請求項１７記載の制御システム。
【請求項１９】
上記ラジエーション受信器のそれぞれに固定され、且つ、上記開口内にそれぞれ配置され、且つ、上記ラジエーション信号を広角で受信すべく機能できるラジエーションレンズをさらに備えた請求項１７記載の制御システム。
【請求項２０】
上記ラジエーション受信器は、樹脂製のヨークカバーが上記ラジエーションセンサを横切って配置された壁ボックス型絶縁ハウジングを有し、上記調光コントローラは、ラジエーションセンサとともに一つの回路基板に実装され、上記ヨークカバーは、ラジエーションセンサと一致するように位置決めされた開口を有し、上記回路基板は、壁ボックス型ハウジングの内部を横切って支持されるとともに、上記ヨークカバーにほぼ平行である請求項１８記載の制御システム。
【請求項２１】
上記制御可能な装置はモータである請求項１７記載の制御システム。
【請求項２２】
上記制御可能な装置はソレノイドである請求項１７記載の制御システム。
【請求項２３】
最後に操作された上記調光コントローラまたは上記ラジエーション発信器が、上記照明器具の少なくとも１つの電灯の調光レベルを決定する請求項１８記載の制御システム。
【請求項２４】
調光器制御回路が設置されており、且つ、天井に設置するようにされた照明器具のハウジングと、
該ハウジングに設けられ、且つ、調光器制御回路に接続される少なくとも１つの電灯と、
該ハウジング内に固定され、且つ、ラジエーションセンサを有し、且つ、調光器制御回路に直接接続され、且つ、コード化されたラジエーション信号を上記ラジエーションセンサが受信するのに応じて、上記少なくとも１つの電灯の出力を調節するように作動するラジエーション受信器のラジエーション受信器回路と、
ラジエーションセンサに通じた状態で照明器具のハウジングに形成される開口と、
ラジエーション受信器回路および調光器制御回路の出力を調整することによって上記少なくとも１つの電灯の調光を調節するように、上記ハウジングの下の位置からラジエーションセンサに向けてコード化されたラジエーションを送るための手動操作タイプのポータブル型ラジエーション発信器とを備え、
上記ラジエーション発信器は、上記調光器制御回路の下限調整値を調節するように、コード化されたラジエーションを交互に発信する調光システム。
【手続補正２】
【補正対象書類名】明細書
【補正対象項目名】全文
【補正方法】変更
【補正の内容】
【発明の詳細な説明】
【技術分野】
【０００１】
本発明は、照明器具用リモートコントロールに関し、詳しくは、頭上に設けた複数個の照明器具を手持ち型赤外線発信装置で選択的に制御するシステムに関する。
【背景技術】
【０００２】
互いに間隔を置いて設けた複数個の放電灯(たとえば、蛍光灯)、または白熱灯により空間を照明することはよく知られている。一般に、１つの照明器具の中には、１つまたはそれ以上の蛍光灯が安定器と共に設けられている。そして、それらの照明器具は天井の４つのフットセンタまたは８つのフットセンタに互いに間隔をあけて設けている。これと同様に複数個の頭上型白熱灯照明器具は、約２フィートよりも大きい間隔をもって設けた各センタに設けられる。上記従来の複数個の照明器具は、通常、１つの電源に接続されていて、同時的にスイッチを切ったり入れたりされるようになっている。これらの器具に調光機能が備わっている場合には、同時的に調光される。
【０００３】
このような頭上設置型照明器具を個別的に制御するかまたは調光することも知られている。たとえば、オフィス空間において、１人の作業者と他の作業者が所定距離離れた仕事場にいるとき、１人の作業者が、他の作業者が望むあるいは必要とする光量より多い光量または少ない光量を望むかあるいは必要とすることがある。いくつかの照明器具の電灯を選択的に調光して、個々の作業者の要求に合わすことができる調光システムが知られている。たとえば、各照明器具を、それと離れたところに設置される調光器に対して個別的にケーブルで接続することができる。しかしながら、ケーブルの設置はかなりの費用を要することになると共に、システムの使用者が、どの調光器がどの照明器具を制御するのか直ちに判断することは容易ではない。
【０００４】
変形例として、調光器は各照明器具の中に組み込むこともできる。そして、この調光器は、低電圧ケーブルにより送られる信号で制御されるか、または、パワーラインキャリアシステムを通るライン電圧ケーブルで送られる信号によって制御される。しかし残念ながら、これら２つの従来装置は、受信した調光器制御用の信号を変換するとともに／または解読するために、各照明器具内に高価なインターフェース装置を必要とする。
【０００５】
他の公知システムによれば、調光調製コントロールを備えた調光器が各照明器具に備えられ、そのコントロールは、たとえば器具に届くに十分長い寸法を有する剛性ポールを介して上記コントロールを回転することにより、手動で操作される。この場合には、各照明器具は選択的に調節することができる。しかしながら、このシステムは使用するに不便さがあり、一旦照明器具の照度が設定されれば、これを再調節することは困難または不便である。さらに、この特質を有するコントロールシステムを既設の設備に改装して組み込むことは困難である。
【０００６】
公知の蛍光コントローラシステムが、「セクター蛍光コントローラ」という名前でカリフォルニア州バーバンクに住所を有するコロートラン・インコーポレイテッド(Ｃolortran  Ｉnc．)により販売されている。この「セクター蛍光コントローラ」によれば、赤外線受信器が、各蛍光灯器具から離れた位置に設けられている。したがって、この受信器はＴ字型バーに固定されるか、壁面に固定されるか、ルーバーに固定されるか、あるいは天井や壁面と同一面をなすサラ穴に埋め込まれる。したがって、従来の調光安定器に加えて、照明器具内には安定器コントローラが設けられる。そして、照明器具の内部に設けた安定器コントローラと外部の赤外線受信器とをケーブルで接続する。１つまたはそれ以上の照明器具のところにある赤外線受信器に向けて手持ち型リモートコントロール赤外線発信器から照射することにより調光レベルを制御するようになっている。
【０００７】
外部センサーから配線をすることになれば、装置の設置が複雑になる。また、そのセンサーは照明器具から離れているので、別個の設置作業が必要となるとともに、外部に露見することになる。さらに、カラートラン社の赤外線発信器は３０度の発射角度を有している。したがって、数個の受信器が同時的に照射されることになり、したがって、使用者が部屋の中において、制御されるべき照明器具の下方の正確な位置にいなければ、ただ１つの照明器具を選択的に制御することは困難である。
【０００８】
上記システムと類似するシステムがシルバータウン・ハイテック・コーポレイション(Ｓilvertown  Ｈitech  Ｃorporation)から発売されている。このシステムにおいては、赤外線受信器が蛍光照明器具のルーバーに設けられている。このシステムにおいては、赤外線受信器は特定の蛍光灯照明器具にだけ適合するようになっている。
【０００９】
さらなるシステムはマツシタ(Ｍａｔｓｕｓｈｉｔａ)より販売されている。このシステムにおいては１つの発信器で２またはそれ以上の受信器を個別的に制御できるようになっている。これは、制御しようとする照明器具に対応した受信器に予め設定しておいたスイッチセッティングに、発信器のスイッチを一致するように調節することにより達成できる。たとえば、スイッチを第１位置に設定することにより照明器具Ａを制御することができ、またスイッチを第２位置に設定することにより照明器具Ｂを制御することができる。このシステムにおいては、使用者は、どの照明器具がどのスイッチ位置に対応しているのか、すなわち照明装置Ａが第１位置に対応しまた照明器具Ｂが第２位置に対応する、ということを記憶しておかなければならない。
【００１０】
使用者は忘れやすいので混同を生ずる。特に、３つあるいは４つの照明器具を３つまたは４つのスイッチ位置によって制御するような場合には混乱を生じ、これは決して好ましいことではない。さらに、設けることのできるスイッチ位置の個数には、実際上、制限がある。一方、大部屋においては照明器具の個数はこの制限個数を越えることがある。さらに加うるに、たとえば２０個の照明器具のように照明器具の個数が多くなった場合の受信器のプログラミングおよびリプログラミングをする作業は膨大なものとなる。
【００１１】
上記発明に係るシステムについては後に詳述するが、このシステムと比較すれば、発信器は、制御しようとする照明器具内の受信器に発信器を単純に向けるだけである。これは簡単であり、明確であるとともに人間工学に適合していることは明白である。さらに、受信器のプログラミングまたはリプログラミングを必要としない。
【００１２】
また、壁ボックスを設けた調光器を制御するための赤外線発信器を使用することも知られている。このような赤外線発信器は、本出願の譲渡人であるルトロンエレクトロニクス・カンパニー・インコーポレイテッド(Ｌutron  Ｅlectronics  Ｃo．,  Ｉnc．)により販売されている「グラフィックアイ」(Ｇrafik  Ｅyｅ)という商品名で販売されているプリセット調光コントロールである。また、同様の発信器について特許文献１にも述べられている。上記「グラフィックアイ」調光コントロールシステムによれば、壁ボックスに設けた制御回路により照明器具および他の電灯を遠隔制御するようになっている。壁ボックスのハウジングに向けられる赤外線発信器は、１つのビームを発生する。このビームは、スイッチを入れたり切ったりするための情報と、各照明器具の調光レベルを複数のプリセットレベルの１つに制御すべくセットする情報と、あるいは光の強さを連続的に増減するための情報を含んでいる。上記ルトロン・エレクトロニクス・カンパニー・インコーポレイテッドは他にも類似のシステムを商品名「ラナックス−ワイヤレス・ディミングコントロールシステム(ＲanaX−Ｗireless  Ｄimming  Ｃontrol  Ｓystem)」で販売している。これらのシステムでは、部屋内の個々の天井設置型照明器具を、近くに設けられた他の照明器具から独立的に制御することは意図していない(これらの照明器具は約２フィート相互に離れている)。
【００１３】
【特許文献１】米国特許第５，１９１，２６５号明細書
【特許文献２】実開平第０６−０１３０９５号明細書（ＣＤ−ＲＯＭ）
【特許文献３】特開平第０６−２８９２６０号明細書
【発明の開示】
【発明が解決しようとする課題】
【００１４】
本発明の解決すべき技術的課題の１つは、リモートコントロール式発信器を照明器具内の受信器に単純に向けるだけで照明器具を個別的に制御でき、受信器のプログラミングやリプログラミングを必要としない調光システムであって、構成簡単な調光システムを提供することである。
【００１５】
また、本発明の解決すべき技術的課題の他の１つは、改装が容易である調光システムを提供することである。
【課題を解決するための手段】
【００１６】
本発明によれば、制御される各照明器具は、ラジエーション受信器と、器具ハウジング内に取り付けられた安定器制御回路とを有しており、蛍光灯器具の場合には、器具ハウジング内で調光安定器に結線される。白熱灯器具の場合、制御される各照明はラジエーション受信器と調光器とを有しており、この調光器は制御される電燈に接続される。器具ハウジングに形成された小孔は、ラジエーション受信器に対する光学通信を許容し、照明器具が設けられている部屋のどの位置からでも実質的に容易に照射を受けることができる。制御されるべき照明器具から約２フィート以上離れている他の照明器具を照射しないように、このラジエーション受信開口を照射するために、狭い角度の範囲、例えば８°でビーム角を有するビームラジエーション発信器が用いられる。約３０フィート四方で高さ約１０フィートの空間の部屋では、他の器具から２フィート離れた器具が容易に区別できる。さらに大きな空間では、使用者は、近接した器具どうしを区別するためには自分の位置を変えればよい。
【００１７】
受信器は、一般的な後部箱の中央部を横切るように取り付けられるプリント回路基板よりなる新規な構造のものである。ラジエーションセンサは、このプリント回路基板上に取り付けられ、ヨークに覆われている上記箱の開口されている側に面している。ラジエーションには、好ましくは赤外線が用いられ、ヨークは、赤外線がラジエーションセンサに達するのを許容するように、光学的に透過性の部分を有している。狭い範囲で焦点が合わされる高周波の超音波もまた用いることができる。
【００１８】
さらには、コード化された情報を既知の方法で帯びた可視光レーザービームまたは不可視光レーザービームも用いることができる。その場合、レーザービームは、発散レンズのような光学手段によって広げられる。可視光ビームの場合には、発信器が受信器を指し示すのを助ける懐中電灯のようなビームを生じる。
【００１９】
最後に、狭い範囲で焦点が合わされる無線周波を用いることもできる。これらの無線周波は、約４.３ｃｍの直径を有するパラボラ反射板付き発信器のパラボラ反射板から発信され、６０GHzの周波数で約８°の角度でビームが広げられる。（５０GHz＝０.６ｃｍ波長λ）直径ｄのパラボラから発信されたビームの角度θ（弧度法）は、θ＝λ／ｄで与えられる。
【００２０】
受信器の構造を導入するために新規な取付構造が提供され、その取付構造では、プラスチックのフック・ループ型の面ファスナが器具の内部に取り付けられる。好ましくは、器具内の配線路用カバーに取り付けられる。全ての配線は、器具の配線路内で相互に接続することができる。器具の配線路用カバーには開口が形成され、受信器ハウジング内のラジエーション受信器によって光学的に通信が行われる。受信器ハウジングは、配線路用カバーの開口で通信するためのハウジング内に容易に配置でき、そこに押し付けられる。光学レンズは、ラジエーション受信器の感知手段に入力ラジエーションを合焦させるのを助けるように、ヨーク内に挿入して取り付けることができる。このレンズの挿入は、異なった角度で入ってくる入力ラジエーション用に設計されたレンズの挿入に変えることができる。入力ラジエーションの入射角度は、ヨークからラジエーションセンサまでの距離を変えることによっても、調整することができる。
【００２１】
レンズは、発信器からの赤外線ラジエーションを受信するように、器具ハウジング内の開口を通って僅かに突出している。発信器は、壁付けの箱の調光器システムの使用で前述したルトロンのグラフィクアイシステムの発信器で採用されたタイプの赤外線発信器が好ましい。このグラフィクアイ発信器は、１２の異なったコードの組合せで信号を発信する赤外線発信器である。発信器は、約８°の角度でビームを発信することができ、したがって、比較的接近して配置された天井付け照明器具を選択的に照射することができる。作動状態にされたコントロールによっては、選択された照明器具が、複数にプリセットされた調光状態の一つに調光され、あるいは連続的に上昇または下降するように調光される。このように発信器は、上昇／下降、プリセット、上限／下限の調整値およびその類いの調整を行うことができる。変形例として、可動スライドまたは回転アクチュエータを有する発信器が、連続的な調光制御を行うために用いられてもよい。
【００２２】
本発明は、既存のものに導入する改装において大きな利点を有している。そして、配線路用カバーに小孔を開口し、赤外線受信器／安定器コントローラを、配線路用カバー内でその小孔と一直線上にくるような位置で、配線路用カバーに取り付けるだけでよい。照度調光安定器は、照明器具の配線路内に取り付けられ、外部配線を必要とせずに照明器具の配線路内で受信器／安定器コントローラと相互接続される。受信器／安定器コントローラが取り付けられた配線路用カバーは、照明器具内に再び設置される。
【００２３】
本発明は、多種多様の既存照明器具に用いることができ、外部のスイッチおよび調光回路と共に用いることもできる。フォトセル、オキュパンシィセンサ、タイムクロック、中央リレーパネルおよび他の入力もまた、この新規なシステムと共に用いることができる。さらに、本発明は、単一の受信器が、如何なる所望の数の安定器も操作できるようにすることができる。
【００２４】
この発明の主な適用は、頭上の蛍光灯器具によって照明されるオフィス領域の大きな空間計画にあり、特に、その空間においては、ビデオ表示ユニット（例えばパーソナルコンピュータ）が用いられる。しかし、本発明はまた、病院や老人保護施設、製造現場や制御室におけるオーディオ・ビジュアルの上演に利用される場所における適用もある。
【００２５】
本発明は、室内または室外の保安照明の制御に用いることができ、また、省エネルギのために照明レベルを低くするのにも利用できる。
【００２６】
本発明のさらに別の適用としては、感電の危険があるために通常の壁付けの制御が行えない濡れている場所または湿気のある場所において、あるいは、線間電圧の壁付けの制御が行われてスパークが生じると爆発の危険があるような、難空気領域での利用がある。これらのケースでは、本発明の受信器を保護された照明器具内に設けることができ、低電圧の手持ちリモートコントロール発信器によって照明が制御される。
【００２７】
本発明は、照明レベルの制御について述べられている。しかし、受信器からの出力は、ウィンドシェイド制御システムにおけるモータの位置のような、モータの位置や速度を周知の方法で制御するのにも利用できる。この受信器の出力はまた、ソレノイドのような他のタイプのアクチュエータの制御にも用いることができる。
【００２８】
本発明のその他の特徴および利点は、添付図面を参照して以下に述べる本発明についての説明から明らかとなるであろう。
【発明の実施の形態】
【００２９】
図１は、本発明に係る新規なシステムのブロック図である。このシステムにおいては、１つのラジエーション受信器・安定器制御回路２０が、電源２１、赤外線信号受信器２２、ＥＥＰＲＯＭ回路２３、マイクロコントローラ２４および調光回路２５よりなる回路を有している。この調光回路２５は適当な半導体パワースイッチを含んでいる。
【００３０】
受信器２２は、任意の狭い帯域のラジエーションに対して応答することができるが、好ましくは赤外線帯域のものがよい。
【００３１】
ラジエーション受信器・安定器制御回路２０は照明器具３０の内部に設けている。照明器具３０については後に詳述する。照明器具３０は、また、公知の各種の調光安定器３１を備えている。この調光安定器は、３２ワットの蛍光灯のごとき１つまたはそれ以上の放電灯に、一定の制御を受けながら電圧を印加する。調光安定器３１は、“Ｈi−Ｌume”安定器または“ＥＣＯ−１０”安定器として知られているものを使用できる。それらの安定器は、本発明の譲受人であるルトロン・エレクトロニクス・カンパニー・インコーポレイテッドから販売されている。
【００３２】
安定器３１は通常、ラジエーション受信器・安定器制御回路２０から引き出された３本の入力用リードを有している。これら３本のリードには、リードＳＨ(スイッチホット)、リードＤＨ(調光ホット)およびリードＮ(ニュートラル)が含まれる。入力用リードＳＨ(スイッチホット)およびＮ(ニュートラル)は受信器・安定器制御回路２０に接続している。受信器・安定器制御回路２０と安定器３１は両者ともに照明器具３０内に存在するので、上記両者間の結線もまた照明器具３０内でなされるが、このことは重要である。
【００３３】
図１に示した照明器具の調光レベルを制御するために、各種公知の赤外線発信器が使用される。図１には２種類の発信器を示している。第１の発信器４０は公知の増減式発信器である。発信器４０は、手持式小型ユニットであって、増大制御ボタン４１と低減制御ボタン４２とを備えている。これらのボタン４１または４２のいずれかを押すことによって、焦点を狭く絞りかつ符号化した赤外線４３のビーム(ビームの拡散角は８度)を発生する。この赤外線のラジエーションは上記受信器２２の光センサに向けて照射され、それにより電灯が安定器により制御されて、出力光が増減する。
【００３４】
後述するところから明らかになることであるが、１つの部屋の中に設けられた複数個の照明装置３０を、たいていの部屋ではほとんどどの位置からでも１つの発信器４０で個別的に制御できる。
【００３５】
上記発信器４０に代えて、より精巧な発信器５０を使用できる。この発信器５０は、たとえば、上記ルトロン社が販売しているもので、グラフイックアイと言う商標で販売されている壁面設置型の調光リモートコントロールである。発信器５０は、１つのアップ／ダウンコントロール５１と複数個の押しボタン５２を備えている。複数個の押しボタン５２は、それぞれ、予めセットされている複数個の調光状態の内の１つに対応していて、安定器３１をその１つの調光状態にする。発信器５０の構成および操作については米国特許第５,１９１,２６５号明細書に述べられている。
【００３６】
後にも述べるが、発信器４０または５０のいずれも、制御されている電灯の調光設定を米国特許第５,１９１,２６５号に述べられた方法で較正するために使用できる。発信器５０を使用するとき、下限目盛合せおよび他のパラメータの目盛合せは、プリセットボタン５２の押下を組み合わせて適切なコード信号を送信することによりできる。
【００３７】
図１に示したラジエーション受信器・安定器制御回路２０の構造を図２〜図４に示している。これらの図に示すように、ラジエーション受信器・安定器制御回路２０は普通の樹脂製バックボックス６０内に収納している。このバックボックス６０は取付用耳部６１,６２を備えている。回路基板６３は、ヨークプレート７０の通常のスナップインポスト６４,６５(図３)上に設けている。回路基板６３は、赤外線センサ２２を支持しており、また、電源２１を含む集積回路と、マイクロコントローラ２４とＥＥＰＲＯＭ２３も支持しており、場合によっては、パワー半導体２５（図３には示さず）を支持する。リードＳＨ,ＤＨおよびＮは、ハウジング６０に設けた開口６６を通って延在している。
【００３８】
ハウジング６０の側面は、通常、金属ヨークによって閉じられている。本発明によれば、ヨークプレート７０は樹脂で成形される。ヨークプレート７０はそれ自体に穿設した開口７１を有している。この開口７１は、使用される赤外線または他のラジエーションを通過させる。したがって、図４に示すように、センサ２２はプレート７０を通って照射されることができる。
【００３９】
ハウジング６０を照明器具内に取り付けるために、新規な構成のフック・ループ・テープ(ベルクロという商標で販売されている)を用いた新規構成の取り付けシステムが使用される。このベルクロテープはリールの形で供給される。そして、このベルクロテープは、互いに着脱自在に合体された互いに協働する２枚のテープより構成している。これらの２枚のテープは、それらの外面に圧感接着剤を有している。その接着面は離型紙で覆っている。図４に最も良く示すように、各テープは一定長に切断されて、テープ片７５がヨーク７０の一部を覆うように取り付けられる。上方のベルクロストリップ７６は、それから離型紙を剥離した上で、取り外しヨーク７０の底面に接着する。ハウジング６０を取り付けるときには、ストリップ７７の底面に取り付けられている離型紙を剥離する(図３参照)。ハウジング６０は、光センサ２２が、配線路用カバー７９に設けたラジエーション受信開口８０,７１(図３参照)の上方に来るように、位置決めされる。つぎに、下方ストリップが、照明器具の配線路用カバー７９(図３参照)の背面側内面に押圧される。
【００４０】
好ましくは、図５に示すように、スナップイン赤外線レンズ８１が開口７１にスナップ止めされる。レンズ８１は、斜め方向からのどのような好ましい角度でのラジエーションも受けられるように設計することができ、したがって特別な用途の要求に適合するように、別のレンズが用いられてもよい。このように、レンズ８１は、その外側の表面にフレネルレンズ８２を有し、天井面に対して非常に浅い角度でレンズ８１に入ってくる赤外線ラジエーションでさえも、ヨーク７０内の開口７１を通って、その軸に沿って且つセンサ２２に向かって照射される。
【００４１】
図ではレンズ８１がセンサ２２に対して真っすぐに並べられているが、感知されたラジエーションをセンサ２２に搬送する光ファイバを用いることも可能であり、そのような光ファイバはレンズ８１から横方向へ移動させることができる。
【００４２】
レンズ８１は、斜め方向からのどのような好ましい角度でのラジエーションも受けられるように設計することができ、したがって特別な用途の要求に適合するように、別のレンズが用いられてもよい。
【００４３】
図６は、前にも説明したように、照明器具の背面７８と配線路用カバー７９の間に受信器のハウジング６０を固定した状態を示している。図６は、また、照明器具の背面７８に対して適当な方法で固定されるところの調光安定器９０を示している。安定器９０は、改装される設備内に設けられている調光なしの安定器に置き換わるものであるが、３つの入力リードＳＨ,ＤＨ,Ｎを備えている。これらの各入力リードは、照明器具の内部にあるラジエーション受信器・安定器制御回路２０から延びる各対応リードに適宜接続している。安定器の出力リード９１は電灯に接続している。
【００４４】
安定器９０は任意の調光安定器とすることができ、たとえば、Ｌutron(登録商標)の“Ｈｉ−Ｌｕｍｅ”(登録商標)安定器を採用できる。
【００４５】
改装作業においては、作業者は、配線路用カバー７９内に小さな開口８０を明けるだけでよい。次いで、安定器９０とラジエーション受信器・安定器制御回路２０が容易に取り付けられ、また互いに結線される。そして、レンズ８１が配線路用カバー７９の開口８０の位置に位置するようにして、配線路用カバーが再び取り付けられる。このようにして、改装は短時間に簡単に行うことができる。
【００４６】
図７および図８は、プリズムレンズカバー１０１を備えた従来の蛍光照明器具１００を示している。このタイプの通常の照明器具は、幅寸法が２フィート、長さ寸法が４フィートであって、４つの３２ワット蛍光管１０２,１０３,１０４,１０５を備えている。電灯のためのすべての配線および安定器９０は配線路用カバー７９の背後に収納されている。この配線路用カバー７９は、照明器具の背面７８にボルト止めされるか、あるいはファスナー止めされる。安定器９０とラジエーション受信器・安定器制御回路２０は照明器具内に収納されていて、したがって、それら２つを接続する配線は照明器具の外側ではない。さらに、小さなレンズ突出部８２だけが、器具の外側に見えている。
【００４７】
本発明は他のタイプの多くの照明器具に適用できる。たとえば、図９は、図８のプリズムレンズ１０１に代えてルーバー１１０を備えた蛍光灯照明器具を示している。図９に示した照明器具は、３つの電灯１１３,１１４,１１５のための２つの配線路用カバー１１１,１１２を備えている。安定器(図示せず)と、ラジエーション受信器・安定器制御回路２０とはカバー１１１内に取り付けており、且つ、レンズ突出部８２を備えたレンズ８１がカバー１１１内に位置している。ラジエーション受信器・安定器制御回路２０は、ルーバー１１０がカバー１１１の底を塞いでいれば、カバー１１１の傾斜面の１つに取り付けられるとよい。
【００４８】
図１０は、本発明を小形ダウンライト型蛍光照明器具のハウジング１２０に適用した状態を示している。したがって、小形の蛍光灯１２１が反射板１２２の中に設けられている。調光安定器１２３はハウジング１２０の外部に固定している。そして、その入力配線１２４(ＳＨ,ＤＨ,Ｎリード)はラジエーション受信器・安定器制御回路２０の関連出力配線１２５に接続している。ラジエーション受信器・安定器制御回路２０は照明器具のハウジング１２０の内側に望み通りに設けている。そして、レンズ突出部８２を備えたレンズ８１が、赤外線信号の照射が受けられるように、ハウジング１２０に形成した開口を通って突出している。ラジエーション受信器・安定器制御回路２０と安定器１２３との相互結線はハウジング１２０の内部で行なわれる。安定器１２３から蛍光灯１２１に至る出力配線１２６もまたハウジング１２０の内部に収納されている。すべての入力ライン１２７(ホットとニュートラルとに切り換えられる)は配線管１２８を通ってハウジング１２０内に導入される。このようにして、前記実施形態に示されるように、人目につかない赤外線センサが既存の照明器具１１６内に固定される、すなわち改装される。またすべての配線の接続はハウジング１２０内部で行なわれる。
【００４９】
図１１は、小形蛍光灯１２１を備えた他のタイプの照明器具を示している。ハウジング１３０はコーン状であって、天井１３１と面一となるように適宜設けている。配線ボックス１３２はコーン１３０に固定している。また、調光安定器１３３とラジエーション受信器・安定器制御回路２０は、それぞれ、ボックス１３２の反対側の面に設けているとともに、ボックス１３２と内部接続している。電力の入力は金属管１３７により照明器具内に導入される。また蛍光灯１２１への出力ラインは管１３４内に収納されている。この構造は、天井１３１の領域からラジエーション受信器・安定器制御回路２０を物理的に離すものであるから、光パイプ１３５は、天井タイル１３１内にスナップアクションで止め付けられるレンズ突出部８２を備えたレンズ８１に達する。
【００５０】
本発明は、また、図１２に示すように、天井用白熱灯の照明器具に適用できる。図１２において、白熱灯キャノピー照明器具１４０は天井１４２に固定される配線ボックス１４１を有している。支持プレート１４３が配線ボックス１４１を横切るように設けられていて、中空ネジ１４４を支持している。中空ネジ１４４はチェーン１４６を介して電燈ホルダー１４５を支持している。本発明によれば、ハウジング１４０から外に突出する突出部８２を備えたレンズ８１を有するラジエーション受信器・調光器のハウジング１５は、ハウジング１４０内に設けている。ボックス１４１からの電源ケーブルはラジエーション受信器・調光器１５に接続している。このラジエーション受光器・調光器１５は、レンズ８１を通して受信される赤外線信号により制御されるパワー半導体調光器を有している。ラジエーション受信器・調光器１５からの出力ケーブルは、調光ホットケーブルおよび調光ニュートラルケーブルを含み、ネジ１４４の中を通って延びていて、ホルダ１４５内の１つまたは２つ以上の白熱灯に接続している。
【００５１】
天井面に配設された白熱灯照明器具は、図１２に示しかつ説明したように、部屋の中の異なる位置にいる使用者それぞれが満足するように選択的に調光できるようになっている。さらに、そのような各電燈は、センター間距離が約２フィートよりも大きい間隔で設けることができ、それでもなおかつ、約８度の拡散ビームを発射する赤外線発信器で互いに区別することができる。本発明に係る新規な構成の受信器は、また、壁から突出した燭台式電燈や電燈コードおよびこれに類するものに取り付けて使用できるとともに、図１０および図１１に示したものと類似の設計を有する白熱灯のダウンライトにも使用できる。しかしこの場合、蛍光灯ではなく白熱灯が用いられる。
【００５２】
さらに、本発明はトラック照明器具に適用することができる。トラック照明装置においては、受信器・調光器は、トラックに取り付けられるアダプタ内に組み込まれ、制御される照明器具は該アダプタに取り付けられる。
【００５３】
各照明器具の中に所定間隔で設けられている複数個の安定器は、単一の受信器で制御できる。本発明に係る受信器を備えた照明器具は、周囲の明るさに応じて電燈の照度を調節するためのフォトセル検出器のような入力手段とともに使用できる。さらに、この新規構成の受信器は、また、外付け調光コントロールとともに用いることができる。この調光コントロールにおいては、電燈の調光は、赤外線発信器の制御や、オキュパンシィ検出器、あるいは手動制御またはタイマあるいはこれに類するものの下で達成できる。
【００５４】
図１３は、これら種々のコントロールを有する本発明のシステムを示すブロック図である。このように、図１３において、ラジエーション受信器のハウジング６０は、カバー７９内の開口を通して露出されるレンズ８１の表面８２を有している。ラジエーション受信器のハウジング６０は、安定器３１と、この安定器によって点灯している電燈とに印加する電源を制御するための調光器制御回路２０に適宜連結されている。
【００５５】
調光器制御回路を制御するための入力数は示されている。
【００５６】
第１番目は、前述したリモート赤外線発信器４０または５０である。
【００５７】
調光器回路２０はまた、外部調光器３００によって制御されてもよい。この外部調光器３００は、一つのまたは一群の照明器具を制御するために設けられていた従来装置であってもよい。調光器３００は、電燈出力の最大照度（maximum light level）または最小照度を設定することができる。またこの調光器３００は、電燈出力を設定すべく内部調光器制御回路２０を無視してもよい。この場合、外部調光器３００またはラジエーション発信器４０又は５０の、最後に操作された方が電燈出力を決定する。
【００５８】
外部調光器３００の出力信号は、従来技術において知られた数多くの形をとることができる。例えば、位相制御された信号の形や、可変電圧信号、または上昇／下降信号の形を有することができる。
【００５９】
外部調光器３００の出力信号は、数値状態に応答して変化させることができる。例えば、電燈を点灯または消灯させたり、それらのレベルを調整したり、あるいはプリセットされている幾つかのレベルから選択したりできる外部手動コントロール３０１によるようにして、手動で制御することができる。他の一方の入力は、外部周囲光の機能として調光器出力を制御するフォトセンサによってもよい。従来のオキュパンシィセンサ３０３およびタイムクロック３０４、あるいは中央リレーステーションコントロール３０５もまた、無視するために採用でき、且つ、電燈を点灯または消灯させたり、それらのレベルを望どおりに調整したりできる。これらの装置は、制御外部調光器３００として示されている。それらは、しかしながら、調光器制御回路２０を直接制御することもできる。
【００６０】
外部調光器３００の出力または外部入力３０１,３０２,３０３,３０４および３０５は、調光器制御回路２０を制御するとき、電線（高圧または低圧のいずれか）によって、または電源線支持体によって、または無線信号によって、または電話インターフェースの使用によって、あるいはその他の適当な手段によって、調光器制御回路２０に直接接続されてもよい。
【００６１】
図１４（ａ）〜（ｄ）および図１５（ａ）〜（ｄ）は、図１３に描かれた構成が可能な幾つかの例を模式的に描いている。
【００６２】
図１４（ａ）は、リモート赤外線発信器４０又は５０を示している。この発信器は、調光安定器およびラジエーション受信器（図示せず）を備えて独立した一つの照明器具７００を調光できる。照明器具７００は、制御可能な他のいかなる電気器具にも取って代わることができる。勿論、所定の間隔を置いて設置された複数の器具が共通の発信器によって調光されることもでき、あるいは選択的に調光されることもできる。
【００６３】
図１４（ｂ）は、図１４（ａ）のシステムに壁付け調光器７０１が加えられたシステムを示しており、このシステムでは、調光器７０１または発信器４０又は５０の最後に操作された方が器具７００の出力を制御する。また変形例として、壁付け調光器７０１によって、器具７００のための上限調整値（upper trim limit）または下限調整値（lower trim limit）が制御されてもよい。
【００６４】
図１４（ｃ）は、図１４（ａ）のシステムにオキュパンシィセンサ７１０を備えたシステムを示しており、このセンサ７１０は、器具７００のためのオン／オフまたは調光状態の高／低を制御できる。
【００６５】
図１４（ｄ）に示すように、器具７００の出力をコントロール４０又は５０とは独立して周囲の明るさに応答して制御するように、フォトセンサ７１１を、器具７００の調光器コントロールに連結することができる。
【００６６】
図１５（ａ）は、リレーパネル７２０と、そのコントロール７２１（リモート）および７２２（壁付け）とが、所定の間隔で配置された照明器具７００ａ,７００ｂおよび７００ｃを制御する形態を示している。これらの照明器具は、器具７００ｃとは独立してリレーパネル７２０から選択的に操作できるように、器具７００ａおよび７００ｂを選択的にグループ化することができる。なお、この場合、各器具は、ラジエーション発信器４０／５０のコントロール下において選択的に操作することが可能である。
【００６７】
図１５（ｂ）は、図１４（ａ）のシステムにタイムクロック７２９の重ね制御（superimposed control）を備えたシステムを示している。図１４ａのシステムはまた、図１５（ｃ）に示されるようなルトロン・エレクトロニクス・カンパニー・インコンポレイテッドから製造販売されているマイクロワット（登録商標）コントローラのコントロールを無視することもできる。このように、二つの照明器具７００ａおよび７００ｂは、一つまたはそれ以上の個々の発信器４０又は５０によって操作可能であるが、７３０（マイクロワットユニット）を通して、コントロール手段７１１（フォトセンサ）、７０１（壁付け調光器）、７２２（タイムクロックコントロール）による制御を有している。
【００６８】
図１５（ｄ）は、ルトロン・エレクトロニクス・カンパニー・インコンポレイテッドから製造販売されているグラフィックアイ（プリセット）のコントロールを無視する発信器４０又は５０と照明器具７００とを示している。
【００６９】
図１６は、天井における蛍光灯照明器具の代表的なレイアウトを示している。このように、四つの照明器具１５０,１５１,１５２および１５３は、それぞれ横２フィート縦４フィートの寸法を有しており、横方向に中心間距離８フィート、縦方向に中心間距離１４フィートで取り付けられている。各照明器具は、本発明のシステム（例えば図１から図９に示すように）を備えており、それぞれ、広角のレンズ突出部８２を有している。８°の出力ビームを有する赤外線発信器を用いることによって、それぞれ所定の間隔で配置された照明器具は、個々の器具を他の全ての器具から容易に区別して調光することができる。例によっては、縦横共に３０フィート、天井高さ１０フィートの事務室を想定する場合もある。高さ３フィートの位置に天井に直接向けて保持された発信器が、直径約１フィートの円１６０を照射することを示すことができる。このようにして、２フィートの間隔で近接して配置された照明器具も容易に区別することができる。さらには、幅約３.６フィート、長さ約９フィートの部屋で、部屋の壁から５フィート離れて発信器を３フィートの高さで持っている人が、部屋の反対側で彗星のような形状を呈した区域１６１を照射することができる。このようにして、照明器具１５０から１５４のどれもが、部屋のどこに配置されていても容易に区別される。
【００７０】
図１７,１８は、図１の受信器の回路図である。図１７,１８においては、図１のマイクロプロセッサ２４およびＥＥＰＲＯＭ２３の双方が、ＳＴ６２６０型の集積回路１７０内にそれぞれ含まれている。
【００７１】
図１７,１８は、スイッチホットＳＨ、調光ホットＤＨおよびニュートラルＮのリードを、光結合電源スイッチ（optocoupled power switch）１７１と共に示している。このスイッチは、複数の発光ダイオードに光学的に結合されたトランジスタ１７２を含むＴＬＰ６２０型オプトアイソレータとして示されている。また、これら発光ダイオードは、後述のゼロクロス点検出回路１７３の出力によって、交互に制御される。適当な増幅器が、トランジスタ１７２の出力をコントロールパワーＭＯＳＦＥＴ１７２ａに連結する。このコントロールパワーＭＯＳＦＥＴ１７２ａは、交互に端子ＤＨに接続される。電源スイッチ回路１７１は、図１の調光器２５に相当し、回路基板６３に設けられている。
【００７２】
電源回路はまた、図１７,１８の回路内にも含まれており、ブロック２１内に示されている。電源２１は、回路内の種々の５ボルト端子に接続された端子１７５で、調整された５ボルトの出力を発生する。主電源制御装置はＭＯＳＦＥＴ Ｑ１である。制御回路は、周知のものである。一般に、操作において、端子１７５での出力電圧が上昇していると、トランジスタＱ５は、ゲート駆動のＭＯＳＦＥＴ・Ｑ１を調整すべくオンにし始める。さらに、Ｑ１を通るドレーンからソースへの電流が大き過ぎると、抵抗Ｒ７での電圧降下が増大し、ＭＯＳＦＥＴ・Ｑ１のためのゲート電圧を低下させるべくトランジスタＱ３をオンにし始める。抵抗Ｒ１,Ｒ２およびＲ３は、プルアップ抵抗（pull-up resistor）である。さらに、接続点１７６における電圧が７０ボルトを超えるとき、分圧器Ｒ４,Ｒ５,Ｒ６,Ｒ９およびＲ１０の接続点１７７での電圧が、ＭＯＳＦＥＴ・Ｑ１のゲートをオフにすべくトランジスタＱ４をオンにする。
【００７３】
さらに、接続点１７８での瞬間電圧が０.６ボルトよりも低い場合には、ゼロクロスセンサ１７３がオフにされ、マイクロプロセッサ１７０がピン１７および２０で、ゼロクロスのあったことを知らせる。そのとき、適宜位相遅れした点弧信号を、ピン７からカプラー１７１内の発光ダイオードへ出力するためのタイミングが与えられる。したがって、１７２での出力波形は電圧波形であって、交流波の各半周期毎の短い制御された期間に従う。
【００７４】
次に図１７に示されているのは、チップ１７０のピン１４および１５に接続された８MHzのセラミック共振子１８１を含んでいる従来のタイミング回路１８０である。
【００７５】
不足電圧検出器１８５が設けられており、この検出器は、チップＵ３を含んでいると共に、オフへの切り替えが要求されるときに回路を確実にオフにすべく作動する。検出器１８５は、リセットピン１６に接続されている。
【００７６】
最後に、赤外線受信器回路２２が設けられている。この受信器回路２２は、シャープＧＰ１Ｕ５６、ＩＲプリアンプチップ１９０を含んでいてもよい。ＩＲプリアンプチップは、図１７に破線で外形を描いて示したレンズ８１と共に作用する。ＩＲプリアンプ２２の出力は、チップ１７０のピン１２および『コモン（common）』に接続されている。
【００７７】
図１７,１８に示されたその他の全ての構成要素については、図示のように相互接続されており、チップ１７０のピンもまた図示のように接続されている。
【００７８】
チップ１７０の内蔵ＲＯＭは、適宜プログラムされている。図１９は、適当なプログラムのためのフローチャートを示している。
【００７９】
図１９に示すように、プログラムでは、まず最初（図の左側のフローにおいて）、電源オン操作２００および初期化操作２０１を行う。導入は５０Hz用または６０Hz用になされるので、決定ブロックは５０Hz初期化または６０Hz初期化のいずれかを選択するように採用される。
【００８０】
初期化の後、現時点状態はチップ１７０内のＥＥＰＲＯＭから検索される（ステップ２０５）。タイマ回路が赤外線サンプリングのために始動され（２０２）、タイマがＦＥＴの駆動／トライアックの点弧（firing）のために始動される。システムは、正のゼロクロスを待ち（２０６）、ピン１７および２０でのゼロクロス信号が得られると同時に、ブロック２０７で、チップ１７０のタイマが、点弧信号を初期化すべく所望の点弧時間で設定される。
【００８１】
完全な赤外線信号が復号のために提供されたか否かを決定する決定ブロック２０９に、ある出力が与えられる。ライン２１０は『イエス』すなわち『信号有り』の場合であり、図１９のブロック２１１において信号の復号が行われる。信号がなかった場合には、ライン２１２にしたがって、２１３で負のゼロクロスへ行くための待ちに初期化が行われる。
【００８２】
負のゼロクロスの後、回路は再び、完全な赤外線信号が復号のために提供されたか否かを、ブロック２１５でチェックする。『イエス』の場合、信号はブロック２１６で復号され、制御はブロック２１７へ進む。ブロック２１７では、所望の照度が現時点照度と異なっているか否かについての決定がなされる。『イエス』の場合、ステップ２２０（図の右側のフロー）で制御されたフェードを、新しく復号化された値にする。この値は、手持ちのコントローラによって設定される。ステップ２２１で、所望の点弧時間が最後の瞬間で変更を望まれたか否かの決定がなされる。変更されていた場合には、新しい状態をセーブするようにブロック２２２でＥＥＰＲＯＭ内に、その変更された時間が記録される。回路は、ステップ２２３で完全な赤外線信号のためのチェックがなされ、信号有りの場合にはブロック２２４でそれを復号する。ユニットは、ブロック２２５で主電源装置の点弧を待つ。回路は、もう一度、完全な赤外線信号のためのチェックを行う。その後、ユニットは、ライン２２７の２０６で次の正のゼロクロスを待つ。
【００８３】
図１３を参照して前述したように、付加的な外部調光入力は、照明器具内に取り付けられている調光器制御回路２０に接続することができる。
【００８４】
図２０は、電圧が０〜１０ボルト（あるいは如何なる所望の範囲であっても）の可変信号が、例えば、ラジエーション発信器４０または５０に応答する調光器のように、あるいは電圧が０〜１０ボルトの種々の入力に対して応答する調光器のように、図１７，１８の制御回路に使用することが可能な形態を示している。可変入力電圧は、例えば、手動の調光器や、周囲光の照度センサ（light sensor）から、あるいはオキュパンシィ検知器や、その類いの構成から得ることができる。
【００８５】
図２０において、０〜１０ボルトの入力信号電圧は、入力端子４００および４０１の間で、標準の５５５タイマ集積回路４０３の入力ピン１および５に印加される。適当なバイアスが図示のように接続され、出力端子４０４が図１７のマイクロプロセッサ１７０の入力ポート１に接続される。図２０の回路の入力端子４０５が、図１７のマイクロプロセッサ１７０の出力端子２に接続される。端子４０４および４０５は、共にオプトアイソレータ４１０および４１１を通してタイマ４０３の各ピンに接続される。
【００８６】
図２０の入力を用いるとき、マイクロプロセッサ１７０の運転を示す図１９のフローチャートは、図２１および図２２に示すように調整される。図２１において、ステップ２００から２１６は、図１９のそれらと同じである。ステップ２１６に続いて、図２０の端子４０５における出力ポートはハイ（４５０）になり、タイマの値がステップ４５１で記録される。ステップ４５４で、端子４００の電圧に基づいて計算が行われ、このレベルに相当する照度レベルがステップ４５５で計算される。ブロック４５５は、電圧信号の結果が決定されるブロックである。電圧信号が上限調整値信号（high end trim signal）または下限調整値信号（low end trim signal）を示しているとき、赤外線入力によって生じている照度レベルは、それが、電圧信号レベルによって示されたレベルよりも低いか高いかを見るためにテストされる。そうであるとき、そのレベルは、ブロック２１７で用いられる。そうでないとき、電圧信号によって設定されたレベルがブロック２１７で用いられる。
【００８７】
入力電圧信号がオーバーライド信号として作用する場合には、ブロック４５５は、最後に変更された信号がどちらかを決定する。変更のための最後の入力によって与えられるレベルは、ブロック２１７で用いられるレベルとなり、それ以降のシステムは、図１９の説明で述べたように進行する。
【００８８】
図２３は、外部調光器制御回路を示している。この回路は、図２０の外部制御回路に代わって（あるいは、共に）用いることができる。図２３においては、ルトロン・エレクトロニクス・カンパニー・インコンポレイテッドのマエストロ（登録商標）入力回路に用いられるようなリモートコンロール装置（図示せず）が、上昇接触、下降接触およびトグル接触を有している。これらの各出力回路は端子５００に接続されており、この端子５００は、出力端子５０４および５０５に交互に連結される。これら出力端子５０４および５０５は、図１７のマイクロプロセッサ１７０のピン１および２に交互に接続される。
【００８９】
上昇制御ボタンが押されるとき、回路は正の周期で閉成される。こうして端子５０４および５０５は、正の周期でハイとなる。負の周期では、端子５０４はハイで端子５０５がローである。
【００９０】
下降制御ボタンが押されるとき、回路は負の周期で閉成される。こうして端子５０４および５０５は正の周期でそれぞれハイとローになり、負の周期で共にローとなる。
【００９１】
トグル接触の位置では、幾つかの周期の間に回路が閉成される。このように、トグル制御ボタンが押されると、端子５０４および５０５は、正の周期で共にハイ、負の周期で共にローとなる。
【００９２】
図２４および図２５は、図１７，１８および図２３のシステムのためのフローチャートを示す。このフローチャートでは、ステップ２１２の後に上昇信号をチェックする（ステップ５１０で）システムと、下降信号をチェックする（ステップ５１１で）システムとを除いて、図１９のフローチャートと同じである。最後の周期で上昇または下降があったか否かの決定がステップ５１２でなされる。上昇または下降があった場合、信号は５１３でトグル信号に変更され、新しい照度レベルが５１４で計算される。上昇、下降およびトグルの入力は、等価赤外線信号と同じ方法で解釈することができる。
【００９３】
本発明に有用な、さらに別の種類の入力、ないしリモート入力は、図２６に示されるような位相制御入力である。この入力は、ルトロン・エレクトロニクス・カンパニー・インコンポレイテッドのハイ・ルメ（登録商標）調光器において用いられている。図２６においては、位相制御された入力信号が端子６００および６０１に接続されている。この信号は、オプトアイソレータ６０２によって端子６０３に結合されている。端子６０３は、図１７のマイクロプロセッサ１７０の入力ポート１に接続される。図２６の制御回路は壁付け調光器内に配置でき、１ナノファラッドのキャパシタ６０４がノイズイムイニティを与える。三つの抵抗６０５,６０６および６０７は、交流電源線を１２０ボルト〜２７７ボルトの調節範囲で変化させることができる。
【００９４】
端子６００および６０１における入力信号の位相制御された波形は、シャープな下降エッジおよび上昇エッジを有し、入力制御信号のデューティサイクルを規定する。
【００９５】
図２７および図２８においては、図２６の回路を付加するために、図１９のフローチャート図が図示のように変更されている。プログラムは、ステップ２０６の後とステップ６２０においてシステムが、図２６の端子６００および６０１における位相制御入力のデューティサイクルを調べるように設定されている点で異なっている。さらに、ステップ２２５に続いて、位相制御のデューティサイクルが記録されたか否かの決定をステップ６２１でなし、記録された場合には位相制御がステップ６２２で計算され、ステップ６２３で照度制御信号に変換される。新しい照度レベルは、それが図２１のブロック４５５で電圧レベル信号のために計算されたのと同様に、ブロック６２３で計算されることができる。それが上限調整値または下限調整値である場合には、赤外線入力レベルがチェックされ、位相制御信号よりもそれぞれ低ければ、または高ければ、次のパスでループを通ってブロック２１７で用いられる。
【００９６】
もし、それがオーバーライド信号として以前に用いられていれば、ブロック６２３は、いずれの入力が最後に変更されたかを決定し、その値をブロック２１７で用いる。
【００９７】
本発明は、その実施形態に関して説明した。しかし、当業者にとっては、他の変形態様は明らかである。したがって、本発明は、ここに開示した特別の開示に限定されるものではなく、請求の範囲の記載にのみ限定されるものである。
【図面の簡単な説明】
【００９８】
【図１】本発明で使用される照明器具のブロック図である。この照明器具は、遠隔操作されるラジエーション発信器を伴ったラジエーション受信器・安定器制御回路に適合している。
【図２】本発明で使用できる受信器・安定器制御回路のハウジングを示す正面図である。
【図３】図２の３−３線部分断面図である。図は樹脂製ヨーク、器具の背面および配線路用カバー、フック・ループタイプのファスナを分解して示している。
【図４】図２および図３に示された受信器・安定器制御回路のハウジングを示す底面図である。
【図５】受信器・安定器制御回路ハウジング内の正しい位置にあるスナップイン式広角赤外線透過レンズを備えた配線路用カバーの断面図である。
【図６】図５のレンズが、照明器具の配線路内に配置されている図３の受信器・安定器制御回路を示す部分断面図であり、この回路は照明器具の内部における調光安定器のリードに接続されている。
【図７】プリズムレンズを備えた蛍光照明器具の底面すなわち光出力側を示す図である。この器具は本発明に係る新規構成の赤外線受信器を含んでいる。
【図８】図７において８−８線に沿って取った断面図である。
【図９】図８の断面図と同様に器具の断面図を示すが、プリズムレンズに代わってルーバーを備えている。
【図１０】本発明の受信器・安定器制御回路を備えた小型蛍光灯ダウンライトの照明器具の概略断面図である。
【図１１】図１０の器具と同様に、本発明の受信器・安定器制御回路を備えた小型蛍光灯ダウンライトの照明器具の変形例の概略断面図である。
【図１２】本発明を白熱灯照明装置のキャノピーに適応した状態を概略的に示す図である。
【図１３】本発明のブロック図であり、調光およびオン／オフ制御の機能を許容する補助のセンサおよびコントロールとの接続を示す。
【図１４】（ａ）〜（ｄ）は、本発明と共に用いることのできるサブコンビネーションをそれぞれ概略的に示している。
【図１５】（ａ）〜（ｄ）は、本発明と共に用いることのできるサブコンビネーションをそれぞれ概略的に示している。
【図１６】天井に所定の間隔で設置された四つの照明器具を、８°ビームの発信器から発信されたラジエーションの、これら器具が設けられた室内での二つの異なった位置の器具の箇所における外形すなわち『照射部の輪郭』と共に示す図である。
【図１７】図１の受信器・安定器制御回路、ＥＥＰＲＯＭ、および電源の回路図の一部である。
【図１８】図１の受信器・安定器制御回路、ＥＥＰＲＯＭ、および電源の回路図の一部であり、図１７の続きを示している。
【図１８ａ】図１７及び図１８の詳細を示す図である。
【図１９】図１７,１８のマイクロプロセッサに導入されたプログラムのフローチャート図である。
【図２０】外部制御信号外部０から１０ボルトに変化するリモート発信器入力と共に、図１３の調光安定器への外部調光器入力を示す回路図である。
【図２１】図１７,１８および図２０のシステムのために調整されたフローチャート図の一部である。
【図２２】図１７,１８および図２０のシステムのために調整されたフローチャート図の一部であり、図２１の続きを示している。
【図２３】図１７,１８のシステムに適用できる上昇信号および下降信号を発生する外部調光器の回路図である。
【図２４】図１７,１８および図２３のシステムのために調整されたフローチャート図の一部である。
【図２５】図１７,１８および図２３のシステムのために調整されたフローチャート図の一部であり、図２４の続きを示している。
【図２６】図１７,１８のシステムに適用できる位相遅れさせた制御信号を発生する外部調光器の回路図である。
【図２７】図１７,１８および図２６のシステムのために調整されたフローチャート図の一部である。
【図２８】図１７,１８および図２６のシステムのために調整されたフローチャート図の一部であり、図２７の続きを示している。
【符号の説明】
【００９９】
２０    ラジエ−ション受信器・安定器制御回路，調光器制御回路
２１    電源
２２    赤外線信号受信器，赤外線センサ，光センサ，受信器回路
２３    ＥＥＰＲＯＭ回路
２４    マイクロコントローラ，マイクロプロセッサ
２５    調光回路，調光器
３０    照明器具
３１    調光安定器
４０    発信器，リモート赤外線発信器
４１    増大制御ボタン
４２    低減制御ボタン
４３    赤外線
５０    発信器，リモート赤外線発信器
５１    アップ／ダウンコントロール
５２    押しボタン，プリセットボタン
６０    バックボックス，ハウジング
６１，６２  取付用耳部
６３    回路基板
６４，６５  スナップインポスト
６６    開口
７０    ヨークプレート
７１    開口
７５    テープ片
７６    ベルクロストリップ
７７    テープストリップ
７８    背面
７９    配線路用カバー
８０    開口
８１    赤外線レンズ
８２    フレネルレンズ，レンズ突出部
９０    調光安定器
９１    出力リード
１００  蛍光照明器具
１０１  プリズムレンズカバー
１０２，１０３，１０４，１０５  蛍光管
１１０  ルーバー
１１１，１１２  配線路用カバー
１１３，１１４，１１５  電灯
１１６  照明器具
１２０  ハウジング
１２１  蛍光灯
１２２  反射板
１２３  調光安定器
１２４  入力配線
１２５  出力配線
１２６  出力配線
１２７  入力ライン
１２８  配線管
１３０  ハウジング
１３１  天井，天井タイル
１３２  配線ボックス
１３３  調光安定器
１３４  管
１３５  光パイプ
１３７  金属管
１４０  白熱灯キャノピー照明器具，ハウジング
１４１  配線ボックス
１４２  天井
１４３  支持プレート
１４４  中空ネジ
１４５  電燈ホルダ
１４６  チェーン
１５０，１５１，１５２，１５３  照明器具
１７０  集積回路，マイクロプロセッサ
１７１  光結合電源スイッチ，電源スイッチ回路
１７２  トランジスタ
１７２ａ  コントロールパワーＭＯＳＦＥＴ
１７３  ゼロクロス点検出回路，ゼロクロスセンサ
１７５  端子
１７６，１７７，１７８  接続点
１８０  タイミング回路
１８１  セラミック共振子
１８５  不足電圧検出器
１９０  ＩＲプリアンプチップ
３００  外部調光器
３０１  外部手動コントロール，外部入力
３０２  外部入力
３０３  オキュパンシィセンサ，外部入力
３０４  タイムクロック，外部入力
３０５  中央リレーステーションコントロール，外部入力
４００，４０１，４０５  入力端子
４０３  タイマ
４０４  出力端子
５００  端子
５０４，５０５  端子
６００，６０１，６０３  端子
６０２  オプトアイソレータ
６０４  キャパシタ
６０５，６０６，６０７  抵抗
７００，７００ａ，７００ｂ，７００ｃ  照明器具
７０１  調光器
７１０  オキュパンシィセンサ
７１１  フォトセンサ
７２０  リレーパネル
７２１  コントロール
７２２  タイムクロックコントロール
７２９  タイムクロック
７３０  マイクロワットユニット
【手続補正３】
【補正対象書類名】図面
【補正対象項目名】全図
【補正方法】変更
【補正の内容】
【図１】
2006100279.tif 000034
【図２】
2006100279.tif 000035
【図３】
2006100279.tif 000036
【図４】
2006100279.tif 000037
【図５】
2006100279.tif 000038
【図６】
2006100279.tif 000039
【図７】
2006100279.tif 000040
【図８】
2006100279.tif 000041
【図９】
2006100279.tif 000042
【図１０】
2006100279.tif 000043
【図１１】
2006100279.tif 000044
【図１２】
2006100279.tif 000045
【図１３】
2006100279.tif 000046
【図１４】
2006100279.tif 000047
【図１５】
2006100279.tif 000048
【図１６】
2006100279.tif 000049
【図１７】
2006100279.tif 000050
【図１８】
2006100279.tif 000051
【図１８ａ】
2006100279.tif 000052
【図１９】
2006100279.tif 000053
【図２０】
2006100279.tif 000054
【図２１】
2006100279.tif 000055
【図２２】
2006100279.tif 000056
【図２３】
2006100279.tif 000057
【図２４】
2006100279.tif 000058
【図２５】
2006100279.tif 000059
【図２６】
2006100279.tif 000060
【図２７】
2006100279.tif 000061
【図２８】
2006100279.tif 000062
【外国語明細書】
2006100279.tif 000063
2006100279.tif 000064
2006100279.tif 000065
2006100279.tif 000066
2006100279.tif 000067
2006100279.tif 000068
2006100279.tif 000069
2006100279.tif 000070
2006100279.tif 000071
2006100279.tif 000072
2006100279.tif 000073
2006100279.tif 000074
2006100279.tif 000075
2006100279.tif 000076
2006100279.tif 000077
2006100279.tif 000078
2006100279.tif 000079
2006100279.tif 000080
2006100279.tif 000081
2006100279.tif 000082
2006100279.tif 000083
2006100279.tif 000084
2006100279.tif 000085
2006100279.tif 000086
2006100279.tif 000087
2006100279.tif 000088
2006100279.tif 000089
2006100279.tif 000090
2006100279.tif 000091
2006100279.tif 000092
2006100279.tif 000093
2006100279.tif 000094
2006100279.tif 000095
2006100279.tif 000096
2006100279.tif 000097
2006100279.tif 000098
2006100279.tif 000099
2006100279.tif 000100
2006100279.tif 000101
2006100279.tif 000102
2006100279.tif 000103
2006100279.tif 000104
2006100279.tif 000105
2006100279.tif 000106
2006100279.tif 000107
2006100279.tif 000108
2006100279.tif 000109
2006100279.tif 000110
2006100279.tif 000111
2006100279.tif 000112
2006100279.tif 000113
2006100279.tif 000114
2006100279.tif 000115
2006100279.tif 000116
2006100279.tif 000117
2006100279.tif 000118
2006100279.tif 000119
2006100279.tif 000120
2006100279.tif 000121
2006100279.tif 000122
2006100279.tif 000123
2006100279.tif 000124
2006100279.tif 000125
2006100279.tif 000126
2006100279.tif 000127
2006100279.tif 000128
2006100279.tif 000129
2006100279.tif 000130
2006100279.tif 000131
2006100279.tif 000132
2006100279.tif 000133
2006100279.tif 000134
2006100279.tif 000135
2006100279.tif 000136
2006100279.tif 000137
2006100279.tif 000138
2006100279.tif 000139
2006100279.tif 000140